(57)【要約】【課題】従来技術の問題を解決する、傾斜コイルバネを機械的に連結し及びまたは電気的に接触させる用途において保持する溝を有するハウジング等の、傾斜コイルバネ捕捉用ソケットを提供することである。【解決手段】第１ハウジングセクション１４及び第２ハウジングセクション１６が組み合わさることで完全な溝または単純なハウジング溝３８が形成される。溝３８は端部の２つの傾斜側壁２２、２６と、傾斜コイルバネ１８から離間した底壁３３とを含む。バネ１８はその短軸４０の６０％を超えない深さ方向位置で溝３８内に座着される。【選択図】図２
2011243572.tif 000002
【特許請求の範囲】
【請求項１】
コネクタであって、
傾斜コイルバネと、
多部材型のハウジングにして、前記ハウジングの内腔部を実質的に画定する第１ハウジング部分、該第１ハウジング部分に連結された第２ハウジング部分にして、該第２ハウジング部分における第１内径を有する第１セクションと、該第１内径より大きい第２内径を有する第２セクションとにより画定されるテーパ壁を有する第２ハウジング部分と、
前記第１ハウジング部分と第２ハウジング部分とが連結して前記内腔部内に形成される溝にして、前記傾斜コイルバネの少なくとも一部分がその内部に配置され、前記第２ハウジング部分のテーパ壁ににより少なくとも部分的に形成されるテーパ側壁を有する溝と、
を含むハウジングと、
前記内腔部に挿通自在のインサート要素にして、前記傾斜コイルバネと係合して前記ハウジングと連結するインサート要素と、
を含むコネクタ。
【請求項２】
前記第１ハウジング部分が、第１内径を有する第１セクションと、該第１内径より大きな第２内径を有し、前記第１ハウジング部分のテーパ壁を画定する第２セクションとを含み、前記溝が、第１ハウジング部分のテーパ壁により少なくとも部分的に形成される他のテーパ側壁を有する請求項１のコネクタ。
【請求項３】
前記溝が、第１ハウジング部分の第２セクションにより少なくとも部分的に形成される平坦な底部を含む請求項２のコネクタ。
【請求項４】
前記溝が、第２ハウジング部分の第２セクションにより少なくとも部分的に形成される平坦な底部を含む請求項１のコネクタ。
【請求項５】
前記溝の少なくとも一部分と、前記傾斜コイルバネと接触するインサート要素の少なくとも一部分とが導電性を有し、前記傾斜コイルバネがインサート要素によりハウジングに電気的に連結される請求項１のコネクタ。
【請求項６】
前記インサート要素が、前記傾斜コイルバネの少なくとも一部分を受ける形態を有する溝を含む請求項１のコネクタ。
【請求項７】
コネクタであって、
傾斜コイルバネと、
多部材型のハウジングにして、第１ハウジング部分と、該第１ハウジング部分に押し嵌めすることなく該第１ハウジング部分に連結した第２ハウジング部分にして、前記第１ハウジング部分及び該第２ハウジング部分が内腔部を画定する第２ハウジング部分と、前記第１ハウジング部分が第２ハウジング部分に連結して前記内腔部内に形成される溝にして、前記傾斜コイルバネの少なくとも一部分がその内部に配置される溝を含むハウジングと、
前記傾斜コイルバネと接触して前記ハウジングと連結するために前記内腔部内に挿入自在のインサート要素と、
を含むコネクタ。
【請求項８】
前記溝の少なくとも一部分と、前記インサート要素の前記傾斜コイルバネと接触する少なくとも一部分とが導電性を有し、該傾斜コイルバネが前記ハウジングとインサート要素とを電気的に接続する請求項７のコネクタ。
【請求項９】
前記傾斜コイルバネの少なくとも一部分を受ける形態を有する溝を含む請求項７のコネクタ。
【請求項１０】
前記ハウジングの第１及び第２の各ハウジング部分が、前記第１ハウジング部分の一部を第２ハウジング部分の外面と係合するように曲げ加工することにより、または第２ハウジング部分の一部が第１ハウジング部分の外面と係合するように曲げ加工することにより相互連結される請求項７のコネクタ。
【請求項１１】
前記ハウジングの第１及び第２の各ハウジング部分が溶接により相互連結される請求項７のコネクタ。
【請求項１２】
前記ハウジングの第１及び第２の各ハウジング部分が、第１または第２の各ハウジング部分の一方における突起を、前記第１または第２の各ハウジング部分の他方における凹部と係合することにより連結される請求項７のコネクタ。
【請求項１３】
前記ハウジングの第１及び第２の各ハウジング部分が、第１ハウジング部分のネジ溝セクションを第２ハウジング部分のネジ溝セクションと係合させることにより連結される請求項７のコネクタ。
【請求項１４】
前記第１または第２の各ハウジング部分が、フランジと、作用端部とを有するインサート要素である請求項７のコネクタ。
【請求項１５】
コネクタの組み立て方法であって、
第１ハウジング部分及び第２ハウジング部分を、該第１ハウジング部分の少なくとも一部分を第２ハウジング部分の少なくとも一部分に機械的に相互係合させることにより連結し、該第１及び第２の各ハウジング部分の連結により内腔部と、該内腔部内の溝とを形成させること、
傾斜コイルバネの少なくとも一部分を該溝内に配置すること、
前記内腔部内にインサート要素を挿入し、該インサート要素を前記傾斜コイルバネと接触させる状態下に前記ハウジングに連結させること、
を含む方法。
【請求項１６】
前記第１ハウジング部分または第２ハウジング部分、または第１及び第２の各ハウジング部分の両方を、該第１及び第２の各ハウジング部分を相互に機械的に連結する以前に導電性材料でコーティングすることを更に含む請求項１５の方法。
【請求項１７】
前記第１ハウジング部分及び第２ハウジング部分を、該第１ハウジング部分の少なくとも一部分を第２ハウジング部分の少なくとも一部分に機械的に相互係合させることが、第１ハウジング部分の一部を屈曲させて第２ハウジング部分の外面に係合させること、または第２ハウジング部分の一部を屈曲させて第１ハウジング部分の外面に係合させることを含む請求項１５の方法。
【請求項１８】
前記第１ハウジング部分または第２ハウジング部分、または第１及び第２の各ハウジング部分の両方が、ワイヤ端子を含む請求項１５の方法。
【請求項１９】
前記第１ハウジング部分及び第２ハウジング部分を、該第１ハウジング部分の少なくとも一部分を第２ハウジング部分の少なくとも一部分に機械的に相互係合させることが、第１ハウジング部分または第２ハウジング部分の一方における突起を、前記第１または第２の各ハウジング部分の他方における凹部と係合することにより連結される請求項１５の方法。
【請求項２０】
前記第１ハウジング部分及び第２ハウジング部分を、該第１ハウジング部分の少なくとも一部分を第２ハウジング部分の少なくとも一部分に機械的に相互係合させることが、第１ハウジング部分のネジ溝セクションを第２ハウジング部分のネジ溝セクションと係合させることにより連結される請求項１５の方法。
【発明の詳細な説明】
【技術分野】
【０００１】
本件出願は２０１０年５月１３日付で提出された米国仮出願第６１／３３４，２９２号、２０１０年６月２日付で提出された米国仮出願第６１／３５０，６３６号、２０１０年７月２１日付で提出された米国仮出願第６１／３６６，４９６号、の利益を主張するものである。
本発明は一般にバネソケットに関し、詳しくは多部材型の傾斜コイルバネソケットに関する。
【背景技術】
【０００２】
ワンピース型ハウジングを使用する傾斜コイルバネコネクタまたはソケットでは、ソケットの開放端を通して傾斜コイルバネをハウジングの溝に挿入する必要がある。ソケットの開口部内径はバネ挿通を容易化するため、好ましい直径より大きくされる。かくしてバネの露出度が高くなり、ソケットへのラッチ止め、錠止、保持用の各ピンまたは電気接点アセンブリ挿入時にバネを損傷させる恐れがある。
ワンピース型ハウジングを使用する傾斜コイルバネコネクタまたはソケットをクラッドまたはメッキ処理する場合、一般に、溝表面にクラッド用またはメッキ用金属を付加または盛り付けし、溝内面上に十分なクラッド層を肉盛りする必要がある。例えば、電気接点用途用のずっと小型のソケットアセンブリの多くでは、ソケット内側のメッキを所望厚さにするにはソケットの外側の非侵襲的表面上の銀メッキ厚を３倍とする必要があり得る。この問題は銀メッキに限定されず、代表的な電気メッキ処理の場合でも同様である。
【先行技術文献】
【特許文献】
【０００３】
【特許文献１】米国仮出願第６１／３３４，２９２号明細書
【特許文献２】米国仮出願第６１／３５０，６３６号明細書
【特許文献３】米国仮出願第６１／３６６，４９６号明細書
【特許文献４】米国特許第４，６５５，４６２号明細書
【特許文献５】米国特許第４，８２６，１４４号明細書
【特許文献６】米国特許第４，８７６，７８１号明細書
【特許文献７】米国特許第７，９０７，７８８号明細書
【特許文献８】米国特許第５，１６０，１２２号明細書
【特許文献９】米国特許第５，５０３，３７５号明細書
【特許文献１０】米国特許第５，６１５，８７０号明細書
【特許文献１１】米国特許第５，７９１，６３８号明細書
【特許文献１２】継続出願第１２／１０２，６２６号明細書
【特許文献１３】継続出願第１２／７６７，４２１号明細書
【発明の概要】
【発明が解決しようとする課題】
【０００４】
前記従来技術の問題を解決し得る、傾斜コイルバネを、その機械的連結及び／または電気的接触用途上保持する溝を有するハウジング等の、傾斜コイルバネ捕捉用ソケットを提供することである。
【課題を解決するための手段】
【０００５】
本発明の１様相によれば、傾斜コイルバネ、多部材型ハウジング、インサート要素、を含むコネクタが提供される。多部材型ハウジングには、実質的にハウジング内腔部を画定する第１ハウジング部分と、この第１ハウジング部分に連結された第２ハウジング部分にして、第１内径を有する第１セクションと、前記第１内径よりも大きい第２内径を有する第２セクションとにより画定される傾斜壁を含む第２ハウジング部分とが含まれる。前記内腔部内の前記第１ハウジング部分と第２ハウジング部分との連結部には溝が形成され、該溝には傾斜コイルバネが少なくとも部分的に配置されると共に、第２ハウジング部分の前記傾斜壁により少なくとも部分的形成される傾斜側壁を有する。インサート要素は、前記内腔部に挿通して傾斜コイルバネと係合させることでハウジングに連結させ得る。
【０００６】
第１ハウジング部分は、第１内径を有する第１セクションと、第１ハウジング部分の傾斜壁を画定するべく該第１内径より大きい第２内径を有する第２セクションとを含み得、前記溝が、第１ハウジング部分の前記傾斜壁により少なくとも部分的に形成される他の傾斜側壁を有する。
前記溝は、第１ハウジング部分の第２セクションにより少なくとも部分的に形成される平坦底部を含み得る。
前記溝は、第２ハウジング部分の第２セクションにより少なくとも部分的に形成される平坦底部を含み得る。
溝の少なくとも一部分と、インサート要素の、傾斜コイルバネと接触する少なくとも一部分とは導電性を有し得、前記傾斜コイルバネはハウジングをインサート要素に電気的に接続し得る。
インサート要素は、傾斜コイルバネの少なくとも一部分を受ける形態の溝を含み得る。
【０００７】
本発明の１様相によれば、傾斜コイルバネと、多部材型ハウジングと、インサート要素と、を含むコネクタが提供される。多部材型ハウジングは、第１ハウジング部分と、該第１ハウジング部分に押し嵌めすることなく連結した第２ハウジング部分とを含み、前記第１ハウジング部分と第２ハウジング部分とが内腔部を画定する。第１ハウジング部分と第２ハウジング部分とが連結すると前記内腔部内に溝が形成され、該溝内には傾斜コイルバネの少なくとも一部分が配置される。インサート要素は、前記内腔部に挿通して傾斜コイルバネと係合させることでハウジングに連結させ得る。
溝の少なくとも一部分と、インサート要素の、傾斜コイルバネと接触する少なくとも一部分とは導電性を有し得、前記傾斜コイルバネはハウジングをインサート要素に電気的に接続し得る。
インサート要素は、傾斜コイルバネの少なくとも一部分を受ける形態の溝を含み得る。
【０００８】
第１及び第２の各ハウジング部分は、第１ハウジング部分の一部を曲げ加工して第２ハウジング部分の外側表面と係合させる、または第２ハウジング部分の一部を曲げ加工して第１ハウジング部分の外側表面と係合させることで相互連結させ得る。
前記各ハウジング部分は溶接により相互連結させ得る。
前記各ハウジング部分は、第１ハウジング部分または第２ハウジング部分の一方における突起を、同他方における凹部に係合させることで相互連結させ得る。
前記各ハウジング部分は、第１ハウジング部分のネジ溝部分を第２ハウジング部分のネジ溝部分に係合させることで相互連結し得る。
第１ハウジング部分または第２ハウジング部分は、フランジ及び能動端部を有するインサート要素であり得る。
【０００９】
本発明の１様相によれば、コネクタ組み立て方法であって、第１ハウジング部分と第２ハウジング部分とを、前記第１ハウジング部分の少なくとも一部分を前記第２ハウジング部分の少なくとも一部分に機械的に相互係合させて連結し、この連結により内腔部と、該内腔部内の溝とを形成すること、前記溝内に傾斜コイルバネの少なくとも一部分を配置すること、前記内腔部内にインサート要素を挿入し、挿入したインサート要素を前記傾斜コイルバネと接触させ、かくしてハウジングに連結させること、を含むコネクタ組み立て方法が提供される。
【００１０】
本方法には、第１ハウジング部分、第２ハウジング部分、またはその両方の、機械的に相互連結させるに先立つ、導電性材料によるコーティングが含まれ得る。
第１及び第２の各ハウジング部分の相互連結には、第１ハウジング部分の一部分を曲げ加工して第２ハウジング部分の外側表面と係合させる、または第２ハウジング部分の一部を曲げ加工して第１ハウジング部分の外側表面と係合させることが含まれ得る。
第１ハウジング部分、第２ハウジング部分、またはその両方は、ワイヤ端子を含み得る。
第１及び第２の各ハウジング部分の相互連結には、第１ハウジング部分及び第２ハウジング部分の一方における突起を、同他方における凹部と係合させることが含まれ得る。
第１及び第２の各ハウジング部分の相互連結には、第１ハウジング部分のねじ溝セクションを第２ハウジング部分のねじ溝セクションに連結することが含まれ得る。
【発明の効果】
【００１１】
前記従来技術の問題を解消する、傾斜コイルバネの機械的連結及び／または電気的接触用途上保持する溝を有するハウジング等の、傾斜コイルバネ捕捉用ソケットが提供される。
【図面の簡単な説明】
【００１２】
【図１】本発明の１実施例に従う２部材型の傾斜コイルバネソケットの組み立て前状態における斜視図である。
【図２】組み立て状態における図１の２部材型の傾斜コイルバネソケットの断面図である。
【図３】本発明の１実施例に従う２部材型の傾斜コイルバネソケットの断面図である。
【図４】本発明の１実施例に従う２部材型の傾斜コイルバネソケットの断面図である。
【図５】本発明の１実施例に従う２部材型の傾斜コイルバネソケットの一方の部材の断面図である。
【図６】本発明の１実施例に従う２部材型の傾斜コイルバネソケットの断面図である。
【図７】本発明の１実施例に従う２部材型の傾斜コイルバネソケットの断面図である。
【図８】本発明の１実施例に従う２部材型の傾斜コイルバネソケットの断面図である。
【図９】本発明の１実施例に従う２部材型の傾斜コイルバネソケットの断面図である。
【図１０】本発明の１実施例に従う２部材型の傾斜コイルバネソケットの断面図である。
【図１１】本発明の１実施例に従う２部材型の傾斜コイルバネソケットの断面図である。
【図１２】本発明の１実施例に従う２部材型の傾斜コイルバネソケットの断面図である。
【図１３】本発明の１実施例に従う２部材型の傾斜コイルバネソケットの断面図である。
【図１４】本発明の１実施例に従う２部材型の傾斜コイルバネソケットの断面図である。
【図１５】図１４の実施例に従う２部材型の傾斜コイルバネソケットを使用する円盤状コネクタの斜視図である。
【図１６】本発明の１実施例に従う２部材型の傾斜コイルバネソケットの断面図である。
【図１７】本発明の１実施例に従う２部材型の傾斜コイルバネソケットの断面図である。
【図１８】本発明の１実施例に従う２部材型の傾斜コイルバネソケットの断面図である。
【図１９】本発明の１実施例に従う２部材型の傾斜コイルバネソケットの断面図である。
【図２０】本発明の１実施例に従う２部材型の傾斜コイルバネソケットの断面図である。
【図２１】本発明の１実施例に従う２部材型の傾斜コイルバネソケットの断面図である。
【図２２】本発明の１実施例に従う２部材型の傾斜コイルバネソケットの断面図である。
【図２３】本発明の１実施例に従う２部材型の傾斜コイルバネソケットの断面図である。
【図２４】本発明の１実施例に従う２部材型の傾斜コイルバネソケットの断面図である。
【図２５Ａ】本発明の１実施例に従う２部材型の傾斜コイルバネソケットの断面図である。
【図２５Ｂ】図２５Ａの部分Ａの部分拡大図である。
【図２６Ａ】本発明の１実施例に従う２部材型の傾斜コイルバネソケットの断面図である。
【図２６Ｂ】図２６Ａの部分Ｂの部分拡大図である。
【図２７】本発明の１実施例に従う２部材型の傾斜コイルバネソケットの断面図である。
【図２８】本発明の１実施例に従う２部材型の傾斜コイルバネソケットの断面図である。
【図２９】本発明の１実施例に従う２部材型の傾斜コイルバネソケットの２部材型ハウジングの断面図である。
【図３０】本発明の１実施例に従う２部材型の傾斜コイルバネソケットの２部材型ハウジングの断面図である。
【図３１】本発明の１実施例に従う２部材型の傾斜コイルバネソケットの２部材型ハウジングの断面図である。
【図３２】本発明の１実施例に従う２部材型の傾斜コイルバネソケットの２部材型ハウジングの断面図である。
【図３３】本発明の１実施例に従う２部材型の傾斜コイルバネソケットの２部材型ハウジングの断面図である。
【図３４】本発明の１実施例に従う２部材型の傾斜コイルバネソケットの２部材型ハウジングの断面図である。
【図３５】本発明の１実施例に従う２部材型の傾斜コイルバネソケットの２部材型ハウジングの断面図である。
【図３６】本発明の１実施例に従う２部材型の傾斜コイルバネソケットの２部材型ハウジングの断面図である。
【図３７Ａ】図２６Ａの２部材型傾斜コイルバネソケットのハウジングへのインサート要素の、２ステップシーケンスにおける連結状況の第１ステップの例示図である。
【図３７Ｂ】図２６Ａの２部材型傾斜コイルバネソケットのハウジングへのインサート要素の、２ステップシーケンスにおける連結状況の第２ステップの例示図である。
【発明を実施するための形態】
【００１３】
本発明の装置、システム及び方法は、傾斜コイルバネの機械的連結及び／または電気的接触用途上保持する溝を有するハウジング等の、傾斜コイルバネ捕捉用のソケットを志向する。本発明の装置、システム及び方法の実施例には、別個に形成され、次いで結合される少なくとも２つのハウング構成部品により形成される溝を有する多部材型ハウジングが含まれる。
図１を参照するに、多部材型または多部品型の傾斜コイルバネソケットアセンブリ１０が示され、第１ハウジングセクション１４及び第２ハウジングセクション１６を含む２部材型のハウジング１２と、バネ１８とを含んでいる。バネ１８は、ガータータイプの半径方向または軸方向傾斜コイルバネ等の傾斜コイルバネ（以下、単にバネとも称する）であり得る。図１では軸方向傾斜コイルバネが示される。バネの例は以下の米国特許番号、即ち、４，６５５，４６２号、４，８２６，１４４号、４，８７６，７８１号、７，９０７，７８８号、５，１６０，１２２号、５，５０３，３７５号、５，６１５，８７０号、５，７９１，６３８号及び、以下の継続出願、即ち、２００８年４月１４日提出の１２／１０２，６２６号、２０１０年４月２６日提出の１２／７６７，４２１号、に示される。前記各特許文献の内容はここに参照することにより本明細書の一部とする。“第１”、“第２”、とは、２つのハウジングセクションを区別するためのみ使用され、特に断りのない限りそれらの構造または特徴上の相違を意味しないものとする。また、“相互係合”とは、機械的に係合する２つ以上の物体間に摩擦または押し嵌めによる以上の物理的バリヤを提供することを意味するものとする。
【００１４】
ある実施例では、第１ハウジングセクション１４は、その間部分に壁を画定する内径及び外径を有する壁表面を含む導電性金属で作製した円筒状セクションから構成される。ラッチ止め用の外側溝または外側溝２０が、端部の傾斜側壁２２付近に組み込まれ、この溝２０が、以下に説明する完全な溝の一部を構成する。ラッチ止め用の外側溝２０及び作用端部壁は、加工、キャスチング等の幾つかの従来法を用いて作製し得る。外側溝２０は、以下に説明するように、その他多くの異なる溝形態を有し得る。導電性金属とは、導電性の任意の金属、例えば、スチール、ステンレススチール、銅、金、を意味するものとする。ある実施例では銅、銅合金、等が導電性金属として好ましく、または、銀あるいはその他貴金属を銅にクラッディングした組み合わせ構成が仕様上好ましい。
第２ハウジングセクション１６は、その間部分に壁を画定する所の内径及び外径を有する壁表面を含む導電金属製の円筒状セクションから構成される。外側溝２０と以下に説明する如く合致状態で係合する作用端部壁２４が組み込まれる。
【００１５】
図２には図１のアセンブリの組み立て状態での部分側面断面図が示される。図１及び図２を参照するに、第２ハウジングセクション１６の内側壁面２８上に傾斜壁面または肩部２６が設けられる。肩部２６は単一角度を有し得、または多数の角度付け表面を含む複雑または複合的な壁面から構成される。肩部２６は、好ましくは平坦且つ長い底壁３０内に伸延する。言い換えると、本実施例では半径方向傾斜コイルバネ形態で表す傾斜コイルバネ１８の主軸３２と比較して、底壁３０は好ましくは１３０％あるいはそれ以上、例えば、１５０％〜２５０％あるいはそれ以上大きい。第２ハウジングセクションは、標準的な溝における一方の側壁を形成する対向する傾斜壁面を有さない点で独特のものである。従って、この形態はハウジングの部分溝または不完全溝３１として好ましいものであり得る。図示の如く、底壁３０は全体に平坦な円筒状端部３４の内側を伸延する。第１ハウジングセクション１４を図２に示す如く組み立てるに際し、平坦な円筒状端部３４をクリンプ加工し、外側溝２０に係合する曲げ作用端部壁またはリップ２４を形成する。他の実施例では円筒状端部３４にリップ２４を形成または加工する。リップ２４は、第１ハウジングセクション１４の端部壁３６を覆って押し嵌めされ、外側溝２０と係合する。ある用途では、２つのハウジング部分を滑り嵌めさせ、１つ以上のソケットを電気接点ブロック内に成型または嵌入して多重ピン／ソケットコネクタアセンブリとすることも好ましい。
【００１６】
図示の如く、第１ハウジングセクション１４及び第２ハウジングセクション１６が組み合わさることで完全な溝または単純なハウジング溝３８が形成される。２つのハウジングセクションは本来導電性を有することが好ましく、１実施例ではメッキ処理される。例えば、２つのハウジングセクションは銅、銅合金、貴金属、貴金属合金、アルミニューム、アルミニューム合金、または銀でメッキ処理または被覆され得る。あるいはバネを、純銅及び、ステンレススチール等の高強度材料を銅にクラッド被覆処理して作製し得る。多金属型のバネを、銀等の導電性外側コーティング層で更にメッキ処理し得る。１実施例では、溝３８は端部の２つの傾斜側壁２２、２６と、傾斜コイルバネ１８から離間した底壁３３とを含む。言い換えると、底壁３３はバネとは接触しない。特定実施例では傾斜側壁２２及び２６の少なくとも一方が、２つ以上の傾斜壁セクションまたは壁面を含むものとして理解され得るところの複雑なまたは複合的な傾斜側壁を含む。傾斜側壁２２、２６の角度及び複雑な側壁を使用することで、デザイナーは溝３８内でバネを座着させる位置を制御可能となる。ある実施例ではバネ１８はその短軸４０の６０％を超えない深さ方向位置で溝３８内に座着される。バネをその短軸の４０％を超えない深さ方向位置で座着させ、この短軸の深さ方向の半分以上の部分がハウジングの内腔部内に露呈され且つ溝３８から離間されることが好ましい。他の実施例では前記深さ方向位置は、ハウジング幾何学全体により規制され得る２つの傾斜側壁２２、２６間の間隔により制御される。例えば、外側溝２０は側壁間隔を制御するべく図２で左側方向に移動させ得る。底壁３０から円筒状端部３４までの長さもまた側壁間隔を決定し得る。
【００１７】
他の実施例では、ハウジング溝３８はバネ１８が底壁３０と、両傾斜側壁２２、２６とに同時に接触する構成とされる。また、バネ１８は溝３８内で回転し、その旋回角度位置で溝に座着し得る。例えば、第１ハウジングセクション１４を押し込み、バネ１８を溝部分３１内に既に位置決めした状態下に第２ハウジングセクション１６に係合させると、第１ハウジングセクション１４の傾斜した傾斜側壁２２がバネ１８に接触してバネをその作用旋回角度に回転させる。前記作用旋回角度は、完全な溝のジオメトリを制御することで所望のまたは特定の角度旋回するよう設計され得る。
他の実施例では溝は少なくとも３つのハウジングセクションにより構成される。例えば、第１ハウジングセクションは完全な溝の左側側壁を、第２ハウジングセクションが同底壁を、第３ハウジングセクションが同右側側壁を夫々構成し得る。３つのハウジングセクションが相互に完全な溝を形成する。３つのハウジングセクションは、上述した如く、クリンプ加工または単純押し嵌めにより相互に装着され得る。
【００１８】
本発明によれば、導電性のハウジング溝組み立て方法であって、導電性の第１ハウジングセクションの部分溝にして、傾斜側壁と、平坦な底面を含む底壁とを含む部分溝内に傾斜コイルバネを配置すること、前記導電性の第１ハウジングセクションの開放端部内に導電性の第２ハウジングセクションを挿入し、その傾斜した作用側壁を前記傾斜コイルバネに接触させること、を含む方法が提供される。他の方法実施例では、導電性の第２ハウジングセクションの挿入時に傾斜コイルバネを旋回させることが含まれる。更に他の方法実施例では、２つのハウジングセクションの各々が異なる材料でメッキ処理される。更に他の方法実施例では、導電性の第１ハウジングセクションの端部の傾斜側壁をクリンプ加工し、該導電性の第１ハウジングセクションのリップセクションを導電性の第２ハウジングセクションの溝に係合させる。あるいは単純押し嵌めにより２つのハウジングセクションを相互装着させ得る。
【００１９】
本発明は、ラッチ止め、錠止用のコネクタとして、及び／または雄型ピンと機械的及び／または電気的に連結する保持用途においても使用され得る。かくして、本発明の装置、システム及び方法の各様相には多部材型の傾斜コイルバネソケットが含まれ、この傾斜コイルバネソケットでは２つ以上のハウジングセクションによりハウジング溝が形成され、該ハウジング溝内には、電流を導電させるためのラッチ止め、錠止、及び／または保持用途で使用する傾斜コイルバネが随意的に位置決めされる。それらラッチ止め、錠止、及び／または保持用途のためのハウジング材料は必ずしも導電性である必要はなく、金属を加工するのではなくむしろ、エンジニアリングプラスチックで成型し得る。例えば、前記材料はＰＥＥＫ（ポリエーテルエーテルケトン）、ＰＥＫ（ポリエーテルケトン）、ＰＡ（ポリアミド）、ＰＳＵ（ポリスルホン）またはＰＥＴ（ポリエチレンテレフタレート）、から作製され得る。別の実施例では第１ハウジングセクションはポリマープラスチックから作製され得、第２ハウジングセクションは金属から作製され得、かくして、コストを削減しつつも尚、雄型ピンとソケットアセンブリとの間に電気的接触が提供され得る。
【００２０】
図２を再度参照するに、図示され且つ理解されるように、ハウジング１２が、中心線を有する円筒状部分を含み、この円筒状部分が側壁から番号５０で示す距離において離間されている。傾斜コイルバネソケットアセンブリ１０は、バネと係合し及び／または圧縮するまでピン（図示せず）を前記中心線方向に挿入することで作用状態下となり、ハウジングとピンとの間に偏倚力または電気的連結部を提供し得る。ピンは傾斜コイルバネの一部を受けるピン溝を有し得または有し得ない。１実施例では番号５０で示す距離はハウジング１２の直径を増減させることで調節可能である。番号５０で示す距離が減少されるとハウジングの内面とピンの外面との間の間隙が狭くなるため、ピンの不整合化の恐れが低減され得る。本アセンブリは数分の１インチのオーダーにおける小型コネクタ用途に対して特に好適である。小型コネクタ用途では、傾斜コイルバネを部分溝内に摺動させて溝を完全化する能力が組み立てを迅速化及び容易化し得る。
【００２１】
図３を参照するに、他の実施例におけるコネクタ５２の概略側方断面図が示される。コネクタ５２は高アンペア型電気ソケット用途で使用され得る。他の実施例ではコネクタ５２はラッチ止め、錠止、及び／または保持用途で使用される。図示の如く、コネクタ５２はハウジング５４を含み、このハウジングが第１端部５６及び第２端部５８を有している。ケーブル、ワイヤ、または回路基板（図示せず）等の他の構造部への接続用のワイヤ端子６０が、穿孔６２を含み且つハウジングの第１端部５６に位置付けられる。第２端部５８には、環状スカート６４を含む拡開開口端部６２’が設けられる。拡開開口端部６２’はインサートポケット６３を画定し、このインサートポケットは、別個に形成し且つこのインサートポケット６３内に以下に詳しく説明するように締まり嵌め構成下に配置したインサート要素６８を受ける直径Ｄ１及び長さ６６を有する。
【００２２】
１実施例ではインサート要素６８の内径７０はハウジング５４の公称内径Ｄ２とほぼ同じであり、何れの内径も、コネクタ５２との電気的接続用の連結用ピンまたはロッド（図示せず）を受ける大きさを有する。他の実施例では、インサート要素６８の内径は前記公称内径Ｄ２よりも若干小さく、かくしてバネ７７用のリップまたは隆起保護部分が提供される。ハウジング５４は所定の深さまたは長さを有するピンを受ける大きさを有するソケット７４を画定する内壁面７２を有する。ソケット内面には傾斜コイルバネ７７を受けるバネ溝７６が形成される。図示の如く、バネ溝７６はＶ字状溝である。１実施例ではバネ溝７６は傾斜コイルバネを収受し得る完全な溝であると共に、インサート要素６８の作用端部８０に隣り合って位置付けられる。“完全な溝”とはバネを捕捉及び維持可能な溝を意味するものとする。例えば、完全な溝は２つの側壁間、またはＶ字溝を成す角度に形成した２つの側壁間に配置した溝底面を含み得る。他の実施例ではバネ溝は部分バネ溝であって、完全な溝を形成するべく完成させる必要がある。例えば、インサート要素６８の円筒状端部が、以下に説明する如くハウジング５４が前記部分バネ溝を形成する状態下に溝の一部を形成し得る。
【００２３】
ハウジング５４は、ハウジング壁面のメッキまたはコーティングを容易化するべく、拡開開口端部６２’を持つ構成とされる。例えば、バネ溝７６へのバネ７７の挿入に先立ち且つインサートポケット６３へのインサート要素６８の挿入に先立ち、前記拡開開口端部６２’が、前記公称内径Ｄ２より大きい直径Ｄ１にその直径が等しい開口を提示することで、ハウジングの内壁面へのメッキ処理用の内部空間を提供する。１実施例ではこの相対直径ディメンションは、内壁面７２へのアクセス及びメッキ処理のための第２端部位置の開口面積が約５％〜約２５％大きい場合に相当する。
【００２４】
本実施例の他の利益は、拡開開口端部６２’から内側キャビティまたはソケット７４内の深さ方向のある距離位置に完全な溝または少なくとも部分的な溝を形成できる点にある。図示実施例では前記距離はインサート要素６８の長さに略等しい。溝７６はハウジングの拡開開口端部６２’からある距離をおいて位置付けられるが、拡開された入口または開口部が、メッキ用電解質を適正に循環させるためのアクセスを容易化し、かくして電気メッキ用材料の電界強度分布及び付着が安定化される。ある実施例では、メッキプロセス中のメッキ用材料循環を容易化させる通気ポート７８、７９がハウジング５４及びワイヤ端子６０に設けられる。拡開開口端部６２’により、類似のハウジング及びバネ配置構成を有するが伝統的な開口、即ち、インサート要素を用いない開口を備えるその他コネクタと比較して、傾斜コイルバネ７７をずっと挿入し易くもなる。
【００２５】
先に議論した如く、ワイヤ端子６０を含むハウジング５４は、導電性材料から作製すると共に導電性の第２材料でメッキ処理することが好ましい。例えば、ハウジング及びワイヤ端子をステンレススチールから作製し、銅、銅合金、貴金属、貴金属合金、アルミニューム、アルミニューム合金、銀、またはそれらの組み合わせをメッキまたはコーティングし得る。他の実施例ではコネクタは銅またはアルミニューム等の高伝導性材料から作製され、ステンレススチール等の高引張強度材料でメッキ処理される。更に他の実施例では、ハウジングは、このハウジングを構成する基板材料をメッキ処理またはコーティングすることなく用いられる。
図３に加えて図４を参照するに、１実施例ではインサート要素６８が、バネ溝７６に隣り合って形成した肩部８２によりその作用端部８０が停止されるまで、インサートポケット６３内に挿入される。次いで環状スカート６４を加締めるとインサート要素６８がインサートポケット６３の内側に固定される。特定実施例では、環状スカート６４のオーバーハング部分８４が、迅速且つ安価なクリンプ加工プロセスにより、インサート要素６８の近位端８６を覆って曲げ加工される。インサート要素６８はその近位端８６位置にフランジ８８を有するものとして示される。インサート要素はフランジ８８無しの構成を有し得るが、フランジ８８は組み込み状態においてハウジング５４のインサートポケット６３位置の肩部９０と接触する別の表面を提供する。好ましい実施例ではインサート要素６８にはフランジ８８が組み込まれ、環状スカート６４がフランジを覆ってクリンプ加工されると、この環状スカートにより凹所または環状溝９２が形成される。環状溝９２はフランジ上で第１端部５６及び第２端部５８の各方向における能動ストッパを提供するため、インサート要素の作用端部８０を必ずしも第１の肩部８２と接触させる必要はない。環状スカートの端部をクリンプ加工するとインサート要素６８はハウジング５４内に完全に格納され、ハウジングの拡開開口端部６２’のみにおいて露呈される。
【００２６】
かくして、本発明の装置、システム及び方法の各様相は、作用端部であり得る第１端部８０と、近位端部であり得る第２端部８６と、を含むインサート要素を含み、このインサート要素がその第１端部８０、第２端部８６またはその両方に於てハウジングの肩部と接触し、前記ハウジングがクリンプ加工に際してインサート要素６８の第２端部を覆って曲げ加工されるものであることを理解されよう。説明された本発明の装置、システム及び方法に於て、インサート要素はハウジングのそれとは異なる材料から作製される。１実施例ではインサート要素は非導電性材料から作製され、他方、ハウジングは導電性材料から作製される。
【００２７】
図５を参照するに、別態様におけるインサート要素９４が示され、作用端部壁９６を有している。図１及び図２の２部材型ハウジングについて先に説明した作用端部壁と同様、前記作用端部壁９６はバネ溝の一部を形成するべく設け得る。例えば、ハウジング５４には、単一の側壁と底壁とを含むバネ用部分溝を設け得る。従って、作用端部壁９６の傾斜面９８は、前記バネ用部分溝と相補して、２つの側壁と底壁とを含む完全な溝を形成する。溝は、この溝に配置した傾斜コイルバネが、インサート要素の挿入時に所望の旋回角度で回転してインサートポケットに入るような幾何学形態を有し得る。前記作用端部壁９６は、ハウジング５４の内面に形成した別の角度付けされた肩部とも接触して完全なＶ字状溝を形成し得る。
【００２８】
１実施例において、図３及び図５のインサート要素６８、９４は導電性材料から作製される。例えば、インサート要素６８、９４はハウジング５４のそれと同じ材料から作製されると共に、導電性の同一の外側材料がコーティングされ得る。他の実施例ではインサート要素６８、９４には導電性の外側層がコーティングされない。更に他の実施例ではインサート要素は、熱可塑性プラスチック材料等の非導電性材料から作製され、またはエンジニアリングプラスチック材料から作製される。インサート要素６８、９４を非導電性材料で形成することにより、ハウジング及びインサート要素を共に導電性材料から作製する場合と比較してコネクタの全製造コストが削減され得る。
【００２９】
図６には多部材または多部品型の傾斜コイルバネソケットアセンブリ１００が例示され、２部材型のカラー１０２を含んでいる。カラー１０２は第１カラーセクション１０４及び第２カラーセクション１０６を含む。第１及び第２の各カラーセクション１０４、１０６は、バネ１１０を受けるカラー溝１０８を構成する。バネ１１０は、例えば、ガータータイプの半径方向または軸方向の傾斜コイルバネ１１０等の傾斜コイルバネ１１０であり得る。更には、カラー溝１０８は、バネ１１０が旋回角度（図示せず）を含むようなジオメトリにおいて設計し得る。傾斜コイルバネソケットアセンブリ１００は雄型ピン１１２を受ける形態を有し、この形態において、雄型ピン１１２は、ラッチ止め、錠止、保持または電気的接触形式の係合に於てバネ１１０と接触する。
【００３０】
第１カラーセクション１０４は、環状の外側壁１１４と、この外側壁１１４の第１端部から半径方向内側に伸延する第１溝フランジ１１６とを含む。同様に、第２カラーセクション１０６は、環状の外側壁１１８と、この外側壁１１８の第１端部から半径方向内側に伸延する第２フランジ１２０とを含む。外側壁１１８の内径は外側壁１１４の外径と略等しい。第２カラーセクション１０６は、外側壁１１８が外側壁１１４に上被し、且つ第１溝フランジ１１６、１２０が相互に離間する状態下に第１カラーセクション１０４を受ける。相互離間した第１溝フランジ１１６、１２０はカラー溝１０８の側壁を構成し、外側壁１１４がカラー溝１０８の底壁または床部を形成する。かくして、カラー溝１０８の底部は平坦となる。他の実施例ではカラー溝１０８は、溝３８、７６に関して上述した任意の幾何学を有し得る。従って、２部材型のカラー１０２は、各々側壁を含む２つのカラーセクション１０４、１０６を組み合わせることでバネ溝を構成する。
【００３１】
第１及び第２のカラーセクション１０４及び１０６は相互に押し嵌めされ得る。例示実施例では外側壁１１８の内面はラチェット歯１２２を含む。ラチェット歯１２２は、第１及び第２のカラーセクション１０４及び１０６を相互に組み立てる際に実質的に抵抗を生じないが、第１及び第２のカラーセクション１０４及び１０６を相互に分離させる際には抵抗を生じるように配向される。ある実施例では第１及び第２のカラーセクション１０４及び１０６はラチェット歯１２２の保持力を高める締まり嵌め構成を含み得る。
【００３２】
例示実施例では、雄型ピン１１２は円筒状の外側円滑面を含み、そのテーパ突きノーズ１２４が平坦な前縁部１２６において終端される。テーパ突きノーズ１２４はカラーセクション１０２内に雄型ピン１１２を挿入するに要する力を低減させる。他の実施例では、以下に説明する如く雄型ピン１１２はバネ１１０を受ける溝を含み得る。円筒状部分と同中心を有する横断方向のディスク状部分１２８の直径は、円筒状部分のそれよりも大きい。かくしてディスク状部分１２８は、第１溝フランジ１１６と接触して雄型ピン１１２の傾斜コイルバネソケットアセンブリ１００内への挿入程度を制限する環状肩部１３０を提供する。雄型ピンに沿ったディスク状部分１２８の位置はその挿通長さを変化させることで調整可能である。
【００３３】
図示の如く、第１カラーセクション１０４と第２カラーセクション１０６とを組み合わせることで完全なカラー溝１０８が形成される。第１及び第２の各カラーセクション１０４、１０６は、導電性材料を含む。例えば、第１及び第２の各ハウジングセクション１４、１６及び／またはハウジング５４、並びにインサート要素６８に関して先に説明した任意の材料を含み得る。他の実施例では第１カラーセクション１０４は金属を含み、第２カラーセクション１０６はプラスチックを含み得る。プラスチック製の第２カラーセクション１０６は、ＰＥＥＫ（ポリエーテルエーテルケトン）等のエンジニアリングプラスチック材料を含む。他の実施例では第１及び第２のカラーセクション１０４及び１０６は共に、プラスチックを含む。バネ１１０は、例えば、バネ１８、７７に関して上述した任意の材料を含み得る。
【００３４】
本発明によれば、カラー溝１０８の組み立て方法が提供される。本方法には、第１カラーセクション１０４内の部分溝内に傾斜コイルバネ１１０を配置することが含まれる。前記部分溝は、第１溝フランジ１１６及び外側壁１１４を含む。本方法には、第２カラーセクション１０６が、カラー溝１０８内に傾斜コイルバネ１１０が配置される状況下に第１溝側壁、即ち第１溝フランジ１１６から離間する第２溝側壁、即ち第２フランジ１２０を形成するよう、第２カラーセクション１０６を第１カラーセクション１０４に組み合わせることが更に含まれる。他の方法実施例には、第２カラーセクション１０６を第１カラーセクション１０４に組み合わせる際に傾斜コイルバネ１１０を旋回させることが含まれる。更に他の方法実施例では、第１及び第２の各カラーセクション１０４、１０６が、相互に異なる材料でメッキ処理される。かくして、２部材型のカラー１０２または２つのカラーセクションの、傾斜コイルバネと接触する如き少なくとも一方が多重材料製とされる。多重材料には上述した材料組み合わせが含まれ得る。
【００３５】
理解される如く、上述した多部材型または多部品型の傾斜コイルバネソケットアセンブリ１００は２部材型のカラー１０２を含み、ラッチ止め、錠止及び／または保持用途に対し、雄型ピン１１２と機械的及び／または電気的に連結するために使用され得る。従って、本発明の装置、システム及び方法の各様相には、カラー溝１０８が２つ以上のカラーセクション１０４、１０６から構成され、ラッチ止め、錠止、及び／または電流導電において使用する傾斜コイルバネ１１０がカラー溝１０８内に位置決めされる、多部材型の傾斜コイルバネソケットアセンブリ１００が含まれる。前記ラッチ止め、錠止、及び／または保持用途用のカラー材料は非導電性であって良いため、金属から加工するのではなくむしろ、エンジニアリングプラスチックで成型され得る。成型プラスチックは金属加工によるよりも一般に製造費用が安価である。かくしてプラスチック製の実施例ではコストが削減される。他の実施例では第１カラーセクション１０４が金属製とされ得、第２カラーセクション１０６がプラスチックとされ得、かくしてコストが削減されつつも尚、雄型ピン１１２と傾斜コイルバネソケットアセンブリ１００との間に電気的接触が提供される。
【００３６】
再度図６を参照するに、２部材型のカラー１０２が、第１及び第２の各カラーセクション１０４、１０６の各内面から距離Ｄ離間する中心線を画定している。傾斜コイルバネソケットアセンブリ１００は、雄型ピン１１２を、傾斜コイルバネ１１０と係合し及び／または押圧するまで前記中心線方向に挿通することでその作用状態となり得る。傾斜コイルバネ１１０は、カラー１０２と雄型ピン１１２との間に作用する偏倚力及び／または電気的接続を提供する。雄型ピン１１２は傾斜コイルバネ１１０の一部を受けるピン溝（図示せず）を有しまたは有さない。１実施例では前記距離Ｄはカラー１０２の直径を増減することで調節可能である。距離Ｄが減少するとカラー溝１０８の各側壁と雄型ピン１１２の外側面との間の間隙が狭まることで、雄型ピン１１２の不整合化の恐れが低減され得る。傾斜コイルバネソケットアセンブリ１００は、数分の１インチのオーダーにおける小型コネクタ用途用に特に好適である。小型コネクタ用途では、傾斜コイルバネを部分溝内に摺動させて溝を完全化する能力が組み立てを迅速化及び容易化させ得る。
【００３７】
図７〜図１７を参照するに、本発明の多部材型または多部品型の傾斜コイルバネソケットセンブリの他の実施例が例示され、２部材型のカラーを含んでいる。図７〜図１７に示す各実施例は、図６に示す実施例とその構造、材料特性及び機能に関し多くの点で類似する。従って、以下の説明は図７〜図１７及び図６の各実施例の相違部分に絞られる。以下の各実施例の１つにおける特定様相の詳細が説明されない場合、この様相は図６の実施例の相当様相と類似することを意味するものとする。
【００３８】
図７を参照するに、カラー１４０が第１カラーセクション１４２及び第２カラーセクション１４４を含んでいる。第１カラーセクション１４２は環状外壁１４６と、この環状外壁１４６の第１端部から半径方向内側に伸延するフランジ１４８とを有する。第１カラーセクション１４２は更に、環状外壁１４６から伸延するスカートセクション１５０を有する。スカートセクション１５０は、環状外壁１４６の確定する平面から半径方向外側に位置決めされた平面内で、フランジ１４８から軸方向に離間して伸延する。環状外壁１４６とスカートセクション１５０とが交差することで、フランジ１４８から離間する側を向く環状肩部１５２が形成される。第２カラーセクション１４４は平坦な環状リングまたはワッシャである。第２カラーセクション１４４の外径はスカートセクション１５０の内径と略等しい。従って、第２カラーセクション１４４は、環状肩部１５２とスカートセクション１５０とにより境界付けられる空間内に座着する。フランジ１４８は溝１５４の第１側壁を形成し、環状外壁１４６は溝１５４の床部を形成する。第２カラーセクション１４４は環状外壁１４６によりフランジ１４８から離間し、かくして溝１５４の第２側壁を形成する。溝１５４は平坦底部を有する。他の実施例では溝１５４は溝３８、７６に関して上述した任意の幾何学を有し得る。
【００３９】
第１及び第２の各カラーセクション１４２、１４４は相互に押し嵌めされ得る。例えば、第２カラーセクション１４４の外径と、スカートセクション１５０の内径とが締まり嵌め構成を含み得る。あるいは、または更には、第１及び第２の各カラーセクション１４２、１４４は溶接、接着、等により相互保持され得る。
図８を参照するに、カラー１６０が第１カラーセクション１６２及び第２カラーセクション１６４を含んでいる。第１カラーセクション１６２は環状外壁１６６と、この環状外壁１６６の第１端部から半径方向内側に伸延するフランジ１６８とを有する。第１カラーセクション１６２は更に、環状外壁１６６及びフランジ１６８の各内面と連結する壁セクション１７０を含む。壁セクション１７０は、環状外壁１６６とは約５０°の角度を形成し、フランジ１６８とは約４０度の角度を形成する。しかしながら、他の実施例では壁セクション１７０は任意の角度において伸延され得る。第１カラーセクション１６２は更に、環状外壁１６６の第２端部位置で半径方向内側に短く伸延するタブ１７２を含む。タブ１７２は、フランジ１６８と半径方向内側において対面し且つ軸方向に離間するテーパ面１７４を含む。タブ１７２の内側面は半径方向に伸延する。
【００４０】
第２カラーセクション１６４は、矩形形状の角部セクション１８０を除去した矩形断面形状を有する主胴部１７８を有する。前記除去した角部セクション１８０に隣り合い、勾配部分１８２が第１カラーセクション１６２方向に伸延される。勾配部分１８２は直角三角形状の断面を有し、その斜辺が、バネ１８６に対面する勾配面１８４を形成する。第１カラーセクション１６２の壁セクション１７０と、第２カラーセクション１６４の勾配面１８４とは相互に溝１８８のＶ字型底部を形成する。フランジ１６８及び主胴部１７８の各部分が溝１８８の側壁を形成する。
【００４１】
第２カラーセクション１６４は更に、勾配部分１８２と、主胴部１７８の角部セクション１８０の壁とにより境界付けられる凹所１９０を含む。凹所１９０は第１カラーセクション１６２のタブ１７２を合致係合状態下に受け、かくして２つのカラーセクション１６２、１６４を相互に固定する。第１及び第２の各カラーセクション１６２、１６４は、例えば相互押し嵌めされ得る。組み立て中、タブ１７２のテーパ面が勾配部分に押し付けられ、かくして環状外壁１６６をして半径方向外側に撓ませ得る。撓んだ環状外壁１６６が、タブ１７２間で計測した場合の第１カラーセクション１６２の直径を一時的に拡大させる。直径が拡大されたことで、勾配部分１８２はタブ１７２が凹所１９０に達するまで挿通され、凹所に達した時点でこの凹所に弾発係入し、カラー１６０の第１及び第２の各セクションを相互固定する。
【００４２】
図９を参照するに、カラー２００が示され、図７に示すカラー１４０と、その第１カラーセクション２０２がスカートセクション２０６から半径方向内側に伸びる保持タブ２０４を含む点を除き類似構成を有している。保持タブ２０４は、第２カラーセクション２０８の縁部に沿って伸延し、第１及び第２の各カラーセクション２０２、２０８を相互に固定する。保持タブ２０４は、例えば、第２カラーセクション２０８が環状肩部２１０上に座着した後にクリンプ加工されて第２カラーセクション２０８の周囲に曲げ加工される延長部を第２カラーセクション２０８に有する。
【００４３】
図１０を参照するに、カラー２２０が第１カラーセクション２２２及び第２カラーセクション２２４を有している。第１カラーセクション２２２は平坦な環状リングまたはワッシャである。第２カラーセクション２２４は環状外壁２２６と、この環状外壁２２６から半径方向内側に伸延するフランジ２２８とを有する。第１カラーセクション２２２は環状外壁２２６の、フランジ２２８とは反対側の端部に接触する。従って第１カラーセクション２２２は、フランジ２２８と第１カラーセクション２２２とが溝２３０の側壁を形成する状態下に、フランジ２２８から離間される。第１及び第２の各カラーセクション２２２、２２４は、接着剤、溶接、等により相互固定され得る。あるいは、または更には、第１及び第２の各カラーセクション２２２、２２４を締め具を用いて相互固定させ得る。例示実施例では、環状外壁２２６の、第１カラーセクション２２２と接触する端部が、締め具（図示せず）を受ける開口部２３４、２３２を含む。
【００４４】
第１カラーセクション２２２は半径位置で対向する第１及び第２の開口部２３４を含む。この開口部２３４は、軸方向から見た場合に矩形または弓状を有し得、離間したシート状部分２３６を受ける。シート状部分２３６は長手方向に伸延し、環状外壁２２６の内面に接触する。シート状部分２３６は、例示実施例では平坦底部を有する溝２３０の底部を形成する。他の実施例では第１カラーセクション２２２が、追加のシート状部分２３６を受けるための、円周方向に離間した追加の開口部２３４を含み得る。１実施例では第１及び第２の各カラーセクション２２２、２２４がプラスチックを含み得、シート状部分２３６が導電性金属を含み得る。かくして、電流はバネ２４２を介してシート状部分２３６とピン２４０との間を通過する。２つのシート状部分２３６は、部分円筒状またはブラケットに類似する共通の裏当てプレートまたはフランジによる等して相互に連結され得、または完全に分離され得る。
【００４５】
図１１を参照するに、図６の傾斜コイルバネソケットアセンブリ１００に類似のカラー２５０が示される。しかしながら、ピン２５２はバネ２５６を受けるピン溝２５４を有している。例示実施例ではピン溝は実質的にＶ字状を有するが、短い平坦底部２５８を有する。他の実施例ではピン溝２５４は、図６及び図８に示すカラー溝１０８、１８８の形状等の任意形状を有し得る。図１２を参照するに、カラー２６０が第１カラーセクション２６２及び第２カラーセクション２６４を有している。第１カラーセクション２６２は環状外壁２６６と、この環状外壁２６６から半径方向内側に伸びるフランジ２６８とを有する。第１カラーセクション２６２は更に、環状外壁２６６及びフランジ２６８の各内面と連結する壁セクション２７０を含む。壁セクション２７０は環状外壁２６６とは約５０°の角度を形成し、フランジ２６８とは約４０°の角度を形成する。しかしながら他の実施例では壁セクション２７０は任意の角度で伸延され得る。
【００４６】
第２カラーセクション２６４は、三角形セクション２７４に隣り合う、矩形断面セクション２７２として形状付けた主胴部を含む。矩形断面セクション２７２と三角形セクション２７４との間の境界が点線Ｌで示される。三角形セクション２７４は、バネ２７８に対面する勾配面２７６を有する。第１カラーセクション２６２の壁セクション２７０と、第２カラーセクション２６４の勾配面２７６とは、相互に溝２８０のＶ字状底部を形成する。フランジ２６８及び矩形断面セクション２７２の各部分が溝２８０の側壁を形成する。
【００４７】
環状外壁２６６の内径は第２カラーセクション２６４の外径と略等しい。第１カラーセクション２６２は、環状外壁２６６が第２カラーセクション２６４を覆い且つフランジ２６８が矩形断面セクション２７４から離間する状態下に第２カラーセクション２６４を受ける。第１及び第２の各カラーセクション２６２、２６４は相互に押し嵌めされ得る。例示実施例では、第２カラーセクション２６２の外面はラチェット歯２８２を有する。ラチェット歯２８２は、第１及び第２の各カラーセクション２６２、２６４を相互組み立てする際には抵抗を与えないが、これら第１及び第２の各カラーセクション２６２、２６４を相互に分離させる際には抵抗を与えるように配向される。ある実施例では第１及び第２の各カラーセクション２６２、２６４は、ラチェット歯２８２の保持力を増強させる締まり嵌め構成を含み得る。
【００４８】
図１３を参照するに、図８のカラー１６０と類似のカラー２９０が示される。しかしながら、ピン２０９はバネ２９６を受けるピン溝２９４を有している。例示実施例ではピンピン溝２９４は、図１１のピン溝２５４と類似形状を有する。他の実施例ではピン溝２９４は、図６及び図８に示すカラー溝１０８、１８８の形状の如き任意形状を有し得る。
図１４を参照するに、カラー３００は第１カラーセクション３０２と、第２カラーセクション３０４とを含む。第１カラーセクション３０２は平坦な環状リングまたはワッシャである。第２カラーセクション３０４は環状外壁３０６と、この環状外壁３０６から半径方向内側に伸延するフランジ３０８とを有する。フランジ３０８は、第１カラーセクション３０２から離間される。第１カラーセクション３０２は、環状外壁３０６の、フランジ３０８とは反対側の端部と接触する。第１及び第２の各カラーセクション３０２、３０４は、例えば、接着剤、溶接等により相互固定され得る。
【００４９】
第２カラーセクション３０４は更に、環状外壁３０６及びフランジ３０８の各内向面を覆うライニング３１０を含む。ライニング３１０の、環状外壁３０６の内向面を覆う部分３１２が、溝３１４の平坦底部を形成する。第１カラーセクション３０２と、ライニング３１０の、フランジ３０８の内向面を覆う部分３１６とが、溝３１４の側壁を形成する。
ある実施例では第１及び第２の各カラーセクション３０２、３０４はプラスチックを含み得、ライニング３１０は金属を含み得る。かくして、電流はバネ３２０を介してライニング３１０とピン３１８との間を通過する。
【００５０】
図１５を参照するに、図１４の装置の１実施例が示され、ディスク状コネクタ３２２がそのセクションの一部として含まれまたは使用されている。ディスク状コネクタ３２２は、円周方向に離間する複数の開口部３２４を有するディスクとして共に実質的に形状付けされた第１及び第２の各カラーセクション３０２、３０４を含む。各開口部３２４は、図１４に示す断面形態を有すると共に、各々が図１４に示す如きピン３１８を受ける。ディスク状コネクタ３２２は、複数の雄型ピン３１８を含む雄型プラグを受ける複数の導電性受け部を含む雌型コネクタを構成し得る。図示の如く、ディスク状コネクタ３２２は６本の雄型ピン３１８を受ける形態を有する。他の実施例ではディスク状コネクタ３２２は６本未満またはそれ以上の異なる数の雄型ピンを受ける構成を有する。
【００５１】
図１６を参照するに、カラー３３０が第１カラーセクション３３２及び第２カラーセクション３３４を有している。第１カラーセクション３３２は、半径方向に伸延する第１フランジ３３８にその外側周囲部分位置で隣り合う環状リングセクション３３６を有する。第２カラーセクション３３４は、半径方向に伸延する第２フランジ３４２にその外側周囲部分位置で隣り合う環状リングセクション３４０をも有する。各環状リングセクション３３６及び３４０は相互に離間される。第２フランジ３４２は更に、バネ３４６に面する勾配内面３４４を含む。
第１フランジ３３８の内径は第２フランジ３４２の外径に略等しい。第２フランジ３４２は、第１フランジ３３８の内面が第２フランジ３４２の外面と接触する状態下に第１フランジ３３８内に受けられる。第１及び第２の各カラーセクション３３２、３３４は相互に押し嵌めされ得ると共に、締まり嵌め構成を含み得る。あるいは、または更には、第１及び第２の各カラーセクション３３２、３３４は相互に接着、溶接され得る。
【００５２】
カラー３３０内の溝３４８がバネ３４６を受ける。溝３４８は、環状リングセクション３３６、３４０と、勾配内面３４４により形成されるテーパ付き底部とにより形成される側壁を含む。他の実施例では勾配内面３４４は、平坦底部を含む溝３４８等の、半径方向に伸びる表面により代替され得る。ピン３５０が、バネ３４６を受けるピン溝３５２を含む。ピン溝３５２はＶ字状を有するが他の実施例では任意形状を有し得る。
【００５３】
図１７を参照するに、図１６のカラー３３０と類似するカラー３６０が示される。しかしながら、第１カラーセクション３６４のフランジ３６２は、環状リングセクション３６６からの距離が増大すると共に半径方向内側に傾斜し、第２カラーセクション３７０のフランジ３６８は環状リングセクション３７２からの距離が増大すると共に半径方向外側に傾斜する。傾斜状態下にオーバーラップするフランジ３６２、３６８が、第１及び第２の各カラーセクション３６４、３７０を相互固定する。第１カラーセクションのフランジ３６２は、例えば、環状リングセクション３６６からの延長部分にして、第２カラーセクション３７０が環状リングセクション３６６に接触して座着した後に第２カラーセクションのフランジ３６８の周囲にクリンプ加工により曲げ付けられるところの延長部分を有し得る。
【００５４】
図１８には、本発明の他の実施例に従う多部材型または多部品型の傾斜コイルバネソケットアセンブリ５００が例示される。傾斜コイルバネソケットアセンブリ５００は、第１ハウジングセクション５０４と、この第１ハウジングセクション５０４に連結自在の第２ハウジングセクション５０６とを含むハウジング５０２を有する。第１及び第２の各ハウジングセクション５０４、５０６は、傾斜コイルバネ５１０を受けるバネ溝５０８を構成する。傾斜コイルバネ５１０は、ガータータイプの半径方向または軸方向に傾斜した傾斜コイルバネ５１０等の傾斜コイルバネ５１０であり得る。また、バネ溝５０８は、傾斜コイルバネ５１０が旋回角度（図示せず）を有するような形態を有し得る。傾斜コイルバネソケットアセンブリ５００は、この傾斜コイルバネソケットアセンブリ５００の第１側部５１４からのピン５１２を、ラッチ止め、錠止、保持または電気的接触形式で傾斜コイルバネ５１０と係合させる状態下に受ける形態を有する。傾斜コイルバネソケットアセンブリ５００はその第２側部５１６において、ここではワイヤ５２０として参照され得るところの、電力及び／または光伝導用の１つ以上のワイヤ、ワイヤ束、ケーブル、光ファイバ、またはピンを受ける形態を有する連結ポート５１８を含み得る。連結ポート５１８は、取り外し自在またはプラグ形式の形態においてワイヤ５２０を受ける形態を有し得る。あるいはワイヤ５２０を第１ハウジングセクション５０４に締め具、ハンダ付け、溶接、及び／またはその従来既知の方法でクリンプ加工して固定し得る。
【００５５】
第１ハウジングセクション５０４は第１環状壁５２２と、この第１環状壁５２２から中心線方向に傾斜しつつ伸びる第２環状壁５２４と、第２環状壁５２４に連結した第１環状フランジ５２６と、第１環状フランジ５２６から全体に中心線方向に伸びて連結ポート５１８を画定する第３環状壁５２８と、を含む。第２ハウジングセクション５０６は、環状またはワッシャ形状を有する。第１環状壁５２２は、その端部セクション５３０を除き全体に一様な内径を有し、この内径より内径の大きい端部セクション５３０が環状環状肩部５３２を画定する。第２ハウジングセクション５０６の前記端部セクション５３０位置の外径は第１環状壁５２２の内径よりもやや小さいが、この端部セクション５３０よりも手前側における第１環状壁５２２の内径よりは大きい。従って、第２ハウジングセクション５０６は、第１ハウジングセクション５０４に挿入されると前記環状肩部５３２と接触し、かくして第１ハウジングセクション５０４内への第２ハウジングセクション５０６のそれ以上の挿入を防止する。
【００５６】
第２ハウジングセクション５０６、第１環状壁５２２、第２環状壁５２４、第１環状フランジ５２６、の間の環状空間がバネ溝５０８を画定する。従って、第２ハウジングセクション５０６はバネ溝５０８の第１側壁５０８ａを形成し、第１環状壁５２２がバネ溝５０８の第１底壁５０８ｂを形成し、第２環状壁５２４がバネ溝５０８の第２底壁５０８ｃを形成し、この第２底壁は、中心線方向に傾斜してバネ溝５０８の直径を漸次減少させ、第１環状フランジ５２６が溝５０８の第２側壁５０８ｄを形成する。
【００５７】
例示実施例ではピン５１２は円筒状外面を有すると共に、平坦な前縁端５３６で終端するテーパ付きノーズ５３４を有している。ピン５１２は円滑な外面を有し得、または、ハウジング５０２内へのピン５１２の挿通及びハウジング５０２からのピン５１２の引き抜きに関する好ましい特性を提供し得るテクスチャパターンを持つ粗い外面を有し得る。テーパ付きノーズ５３４が、ハウジング５０２内へのピン５１２の挿通に要する力を低減させる。第１環状フランジ５２６の、本実施例ではバネ溝５０８の第２側壁５０８ｄでもある内壁が、ハウジング５０２内へのピン５１２の挿通深さを制限するストッパとして機能する。
【００５８】
１実施例では第１及び第２の各第１ハウジングセクション５０４及び５０６は導電性材料を含む。第１及び第２の各第１ハウジングセクション５０４及び５０６は、例えば、ハウジングセクション１４、１６及び／またはハウジング５４及びインサート要素６８に関して上述した任意の材料を含み得る。他の実施例では、第１ハウジングセクション５０４は金属を含み得、第２ハウジングセクション５０６はプラスチックを含み得る。第２ハウジングセクション５０６用のプラスチック材料には、ＰＥＥＫ（ポリエーテルエーテルケトン）等のエンジニアリングプラスチック材料が含まれる。他の実施例では第１及び第２の各第１ハウジングセクション５０４及び５０６は何れもプラスチックを含み得る。傾斜コイルバネ５１０は、例えば、バネ１８、７７に関して上述した任意の材料を含み得る。
【００５９】
本発明の他の実施例によれば、傾斜コイルバネソケットアセンブリ５００の組み立て方法が提供される。ワイヤ５２０が、連結ポート５１８を通して第１ハウジングセクション５０４に設けられる。ワイヤ５２０は連結ポート５１８に対し、押し嵌め、溶接、ハンダ付け、または接着剤により固定状態下に連結され、あるいは当業者に既知の種々の方法及び装置により固定状態または着脱自在下に連結される。ワイヤ５２０は第１ハウジングセクション５０４に予め組み付け得、かくして、説明する如く、傾斜コイルバネソケットアセンブリ５００の組み立て方法では第１ハウジングセクション５０４にワイヤ５２０を連結するステップは不要である。次いで、第１ハウジングセクション５０４に第２ハウジングセクション５０６を装着し、上述した如くバネ溝５０８を形成する。次いで、第１ハウジングセクション５０４内のバネ溝５０８内に傾斜コイルバネ５１０を配置する。この段階で傾斜コイルバネソケットアセンブリ５００はピン５１２を受ける組み立て状態となる。傾斜コイルバネソケットアセンブリ５００を電気的ソケットとして用いる場合はワイヤ５２０の電流が第１ハウジングセクション５０４を介して傾斜コイルバネ５１０に送られる。ピン５１２の挿通時において、電流は傾斜コイルバネ５１０からピン５１２を通して流れ、かくしてワイヤ５２０及びピン５１２間の電気的接続を完成させる。更には、ピン５１２が傾斜コイルバネ５１０を圧縮することで、雄型ピン表面上の溝の有無に応じて、ピン５１２と傾斜コイルバネソケットアセンブリ５００との間に錠止、ラッチ止め、または保持的な連結が提供され得る。
【００６０】
他の実施例では、第１及び第２の各第１ハウジングセクション５０４、５０６が相互に異なる材料でメッキ処理される。２部材型ハウジング５０２または２つのハウジングセクションの、例えば傾斜コイルバネ５１０と接触する一方のみが異なる数種の材料から作製され得る。
上述した傾斜コイルバネソケットアセンブリ５００は、ピン５１２と機械的及び／または電気的に連結するラッチ止め、錠止及び／または保持の各用途で使用され得る。従って、本発明の装置、システム及び方法の各様相には、２つ以上の第１ハウジングセクション５０４、５０６によりバネ溝５０８が形成され、このバネ溝５０８内にはラッチ止め、錠止及び／または保持及び／または導電用の傾斜コイルバネ５１０が位置決めされた多部材型の傾斜コイルバネソケットアセンブリ５００が含まれる。これらラッチ止め、錠止及び／または保持及び／または保持用途のためのハウジング材料は導電性である必要は無いため、金属の加工によるよりはむしろ、エンジニアリングプラスチックから成型され得る。他の実施例では、第１ハウジングセクション５０４が金属から作製され得、第２ハウジングセクション５０６がプラスチックから作製され得、かくしてコストが削減されつつも尚、ピン５１２と傾斜コイルバネソケットアセンブリ５００との間に電気的接触が提供される。
【００６１】
図１８を参照するに、中心線が２つの第１ハウジングセクション５０４及び５０６の内面から、前記に沿って変化するまたは変化し得る距離Ｄ離間されている。傾斜コイルバネソケットアセンブリ５００は、ピン５１２を傾斜コイルバネ５１０を圧縮するまで中心線方向（図１８ではピンに矢印で表示される）に挿通することによりその作用状態となる。傾斜コイルバネ５１０はハウジング５０２とピン５１２との間に作用する偏倚力及び／または電気的接続を提供する。ハウジングの大きさは、種々の実施例において、好ましい距離Ｄが提供されるよう選択され得る。例えばある用途では、前記距離Ｄを減少させるとバネ溝５０８の側壁とピン５１２の外面との間の間隙が狭まり、かくしてピン５１２の不整合化の恐れが減少する。傾斜コイルバネソケットアセンブリ５００は、数インチのオーダーにおける小型コネクタ用途用に特に好適である。小型コネクタ用途では、傾斜コイルバネ５１０を部分溝内に摺動させて溝５０８を完全化する能力が組み立てを高速化及び容易化させ得る。
【００６２】
図１８の実施例では、端部セクション５３０の全部または一部を中心線方向にクリンプ加工し、環状肩部５３２と前記クリンプ加工させた端部セクション５３０との間で第２ハウジングセクション５０６を固定させ得る。図１８の実施例では、クリンプ加工する以前の端部セクション５３０の一部が点線で示される。
図１９に示す他の実施例では、第１環状壁５２２の、端部セクション５３０位置における内径は第２ハウジングセクション５０６の外径よりも若干小さいため、第２ハウジングセクション５０６を第１ハウジングセクション５０４に挿入すると押し嵌め連結が構成される。従って、第２ハウジングセクション５０６は接触領域５３１内で環状肩部５３２と接触するまで第２第１ハウジングセクション５０４内に押し嵌めされる。本実施例では端部セクション５３０のクリンプ加工は不要であるため、第１ハウジングセクション５０４の第１環状壁５２２は、第２ハウジングセクション５０６を第１ハウジングセクション５０４内に押し嵌めする際、第２ハウジングセクション５０６を超えては伸延されない。他の実施例ではレーザー溶接またはタック溶接を用いて第２ハウジングセクションを第１ハウジングセクションにより恒久的に保持させ得る。
【００６３】
図２０に示す他の実施例では、第１環状壁５２２の内径は第２ハウジングセクション５０６の外径よりも若干大きいため、第２ハウジングセクション５０６を第１ハウジングセクション５０４内に挿通させ得る。第２ハウジングセクション５０６を、環状肩部５３２に接触するまで第１ハウジングセクション５０４内に挿通した後、第２ハウジングセクション５０６を図では溶接ビード５３３として示す接触領域５３１またはその付近で第１ハウジングセクション５０４に溶接する。本実施例では端部セクション５３０のクリンプ加工は不要であるため、第１ハウジングセクション５０４の第１環状壁５２２は、第２ハウジングセクション５０６を第１ハウジングセクション５０４内に環状肩部５３２と接触するまで挿入する際、第２ハウジングセクション５０６を超えては伸延されない。
【００６４】
図２１に示す他の実施例では、第１環状壁５２２の端部セクション５３０位置での内径はこの第１環状壁５２２の残余部分の内径と全体に同じである。従って、第１環状壁５２２は、第１ハウジングセクション５０４内への第２ハウジングセクション５０６の挿通深さを制限する肩部（例えば、図１９の環状肩部５３２）を持たない。しかしながら、端部セクション５３０位置における第１環状壁５２２の全部または一部がネジ溝５４０を有する。更には、第２ハウジングセクション５０６の外面の全部または一部が、第２ハウジングセクション５０６を第１ハウジングセクション５０４内に螺入可能とする、前記ネジ溝５４０とそのネジ溝特徴（即ち、ピッチ、ネジ溝形状等）に一致するネジ溝５４２を有する。かくして、第２ハウジングセクション５０６は、前記ネジ溝５４０及び５４２の各端部が螺合するまで第１ハウジングセクション５０４に螺入され、かくして第１ハウジングセクション５０４に固定され得る。
【００６５】
図２２の実施例では傾斜コイルバネソケットアセンブリ５００は第２ハウジングセクションを有さない。それに代えて第１ハウジングセクション５０４が、図１８〜図２１の各実施例と比較してこれら実施例における第１ハウジングセクション５０４及び第２ハウジングセクション５０６として機能する。第１環状壁５２２が、延長環状壁セクション５５０を有し、この延長環状壁セクション５５０は第１環状壁５２２のその他セクションよりもその厚さが薄く、かくして前記延長環状壁セクション５５０をクリンプ加工領域５５１位置において曲げ加工またはクリンプ加工させ得る。第１ハウジングセクション５０４内に傾斜コイルバネ５１０を配置した後、前記延長環状壁セクション５５０を前記クリンプ加工領域５５１位置で曲げ加工またはクリンプ加工してハウジング５０２の第１側部５１４を実質的に閉鎖し、バネ溝５０８の形状を完成させる。延長環状壁セクション５５０の曲げ加工を容易化するためのスリットまたは長孔を設け、前記スリットにより相互に分離された小セクション部分で延長環状壁セクション５５０をクリンプ加工または曲げ加工させ得る。
【００６６】
図２３の実施例ではハウジング５０２は図１８の実施例のハウジング５０２と類似している。しかしながらピン５１２は、傾斜コイルバネ５１０の一部を受ける溝５６０を有し得る。溝５６０は平坦な底壁を有し、図２３に示す如く、２つの傾斜側壁が前記底壁５６１と共に変形Ｖ字型溝を構成する。他の実施例では溝は頂部（図示せず）を有するＶ字状溝である。しかしながら、溝５６０には傾斜コイルバネソケットアセンブリ５００用の好ましい機能を提供するその他形状を組み込み得る。例えば、テーパ付き底壁と、テーパ付きの一方の側壁、またはテーパ付き底壁と、全体に平行な２つの側壁とを有し得る。ピン５１２に溝５６０を設けることで、ピン５１２挿通時の傾斜コイルバネ５１０圧縮特性が更に制御され得る。例えば、第２の前記溝５６０により、バネがピンをハウジングにラッチ止め可能となる。しかしながら、溝が変形するとピンがハウジングに錠止され得る。溝５６０付きのピン５１２が、ここで開示する全てのバネソケットと共に使用可能である。
【００６７】
図２４の実施例では第１ハウジングセクション５０４は図１８〜図２３の各実施例のそれと比較して第１環状フランジを有していない。従って、第２環状壁５２４が、中心線方向で第１環状壁５２２から第３環状壁５２８までテーパ付けされる。本実施例ではピン５１２は図１８〜図２３の各実施例のそれと比較して第１ハウジングセクション５０４内にすっと深く挿通され得るが、これは、本実施例の第１ハウジングセクション５０４には第１環状フランジ５２６が無いためである。図２４では第２ハウジングセクション５０６が、図１８の実施例に関して上述した如く第１環状壁５２２の端部セクション５３０をクリンプ加工することにより第１ハウジングセクション５０４に固定される。
【００６８】
図２５ａ及び図２５ｂを参照するに、図１８の実施例とは以下に説明する点を除き多くの点で類似する他の実施例が例示される。従って、図１８の実施例で説明した各部品に類似する部品については同じ参照番号が付記される。第１ハウジングセクション５０４は、その第１環状壁５２２の端部セクション５３０位置に、リップ５７０を形成する環状端部を有する。ワッシャまたはリング形態を有し、第１環状突起５７４と第２環状突起５７６とを有する第２ハウジングセクション５７２が設けられる。第１環状突起５７４と第２環状突起５７６との間の空間が環状環状溝５７８を画定する。図２５ｂを参照するに、リップ５７０はその内側部に、ハウジング５０２のピン５１２の入口または第１側部５１４の方向に向いた傾斜面５８０を有する。第２ハウジングセクション５７２の第２環状突起５７６の外径は第１環状壁５２２の内径よりも若干小さい。第２ハウジングセクション５７２を第１ハウジングセクション５０４に挿入すると、先ず第２環状突起５７６が前記傾斜面５８０と接触する。第２ハウジングセクション５７２を更に第１ハウジングセクション５０４に挿入すると、第２環状突起５７６が傾斜面５８０と接触して第１ハウジングセクション５０４の第１環状壁５２２を外側に押す。その結果、第１ハウジングセクション５０４が弾性的に拡開され、かくして第２ハウジングセクション５７２をその内部に更に挿通可能となる。第２環状突起５７６がリップ５７０を超えると第１ハウジングセクション５０４がその拡開前の状態に戻り、かくしてリップ５７０が環状溝５７８に弾発係入する。第２ハウジングセクション５７２の第１環状突起５７４は、第２環状突起５７６のそれよりも外径が大きい。従って、第１環状突起５７４が第１ハウジングセクション５０４の端部セクション５３０と接触し、第１ハウジングセクション５０４内への第２ハウジングセクション５７２のそれ以上の挿入を防止する。
【００６９】
図２６Ａには本発明の他の実施例に従う多部材または多部品型の傾斜コイルバネソケットアセンブリ６００が例示される。傾斜コイルバネソケットアセンブリ６００はハウジング６０２を有し、ハウジング６０２には、第１ハウジングセクション６０４と、この第１ハウジングセクション６０４と連結自在の第２ハウジングセクション６０６とが含まれる。第１及び第２の各ハウジングセクション６０４及び６０６はバネ６１０を受ける溝６０８を構成する。バネ６１０は、ガータータイプの半径方向または軸方向に傾斜した傾斜コイルバネ６１０である。更には、溝６０８はバネ６１０が旋回角度（図示せず）を含むような形態を有し得る。傾斜コイルバネソケットアセンブリ６００は、この傾斜コイルバネソケットアセンブリ６００の第１側部６１４からのピン６１２を、ピン６１２がラッチ止め、錠止、保持または電気的接触の形式での係合状態下にバネ６１０と接触するように受ける形態を有する。傾斜コイルバネソケットアセンブリ６００の第２側部６１６には、ここでは電力及び／または光を送るまたは伝送するワイヤ６２０として参照され得る、１つ以上のワイヤ、ワイヤ束、ケーブル、光ファイバまたはピンを受ける形態を有する連結ポート６１８を含み得る。連結ポート６１８は、取り外し自在またはプラグ形式の形態においてワイヤ６２０を受ける形態を有し得る。あるいはワイヤ６２０を第１ハウジングセクション６０４に締め具、ハンダ付け、溶接、及び／またはその従来既知の方法でクリンプ加工して固定し得る。
【００７０】
第１ハウジングセクション６０４には、第１環状フランジ６２２と、第２環状フランジ６２６と、全体に中心線に沿って前記第２環状フランジ６２６から伸延して連結ポート６１８を画定する第３環状壁６２８とが含まれる。溝の側壁の一方を構成する第２環状フランジ６２６が、ピン６１２の軸に関して全体に直線的な壁を有すると共に、ピンの軸に全体に直交することを銘記されたい。第１環状フランジ６２２の内径は全体に一様であるが、端部セクション６３０の内径は環状環状リップ６３２を画定するべく若干小さい。第２ハウジングセクション６０６はワッシャまたはリングの形状を有し、また楔状の第１部分６３４を有し、この楔状第１部分が、第２ハウジングセクション６０６の前記中心線を向いた側部上の傾斜面６３６と、反対側の傾斜面６３６とを画定する。第２ハウジングセクション６０６は、第１ハウジングセクション６０４の第１環状フランジ６２２の内径よりもその外径が大きい第２部分６３８をも有する。従って、第２ハウジングセクション６０６を第１ハウジングセクション６０４内に挿入すると、第２部分６３８が第１環状フランジ６２２の端部セクション６３０と接触し、かくして第１ハウジングセクション６０４内への第２ハウジングセクション６０６のそれ以上の挿入を停止させる。
【００７１】
図２６Ｂを参照するに、環状環状リップ６３２がその内側部に、第１側部６１４またはピン６１２の入口方向に面する傾斜面６４０を有している。第２ハウジングセクション６０６は、第１部分６３４と第２部分６３８との間に外側環状溝６４２を含む。第１部分６３４の外径は第１環状フランジ６２２の内径と実質的に類似またはそれよりも若干小さい。従って、第１部分６３４を第１ハウジングセクション６０４内に挿入すると第１部分６３４が傾斜面６４０と接触する。第２ハウジングセクション６０６を第１ハウジングセクション６０４内に挿入すると、第１部分６３４が傾斜面６４０と係合して第１ハウジングセクション６０４の第１環状フランジ６２２を外側に押す。その結果、第１ハウジングセクション６０４が弾性的に拡開され、かくして第２ハウジングセクション６０６をその内部に更に挿通可能となる。第１部分６３４が環状リップ６３２を超えると第１ハウジングセクション６０４がその拡開前の状態に戻り、かくして環状リップ６３２が外側環状溝６４２にパチンと嵌まる。第２部分６３８は、第１環状フランジ６２２のそれよりも外径が大きい。従って、第２部分６３８は第１環状フランジ６２２の端部セクション６３０と接触し、かくして第１ハウジングセクション６０４内への第２ハウジングセクション６０６のそれ以上の挿入を防止する。
【００７２】
再度図２６Ａを参照するに、第２ハウジングセクション６０６と第１環状フランジ６２２と、第２環状フランジ６２６との間の環状空間が溝６０８を画定する。従って、第２ハウジングセクション６０６は、溝６０８及び第１底壁６０８ｂの第１側壁６０８ａまたは溝の底壁の少なくとも一部を形成する。第１底壁６０８ｂはくさび形の第１部分６３４により形成され、かくして溝６０８の傾斜底壁を提供する。第１環状フランジ６２２は溝６０８の第２底壁６０８ｃを形成し、第２環状フランジ６２６が、溝６０８の第２側壁６０８ｄを形成する。第１底壁６０８ｂはバネと接触し、ピン挿入時にはバネ負荷される表面として設けられる。
【００７３】
例示実施例ではピン６１２は円筒状外面を有すると共に、平坦な前縁端６５２で終端するテーパ付きノーズ６５０を有している。ピン６１２は円滑な外面を有し得、または、ハウジング５０２内へのピン５１２の挿通及びハウジング５０２からのピン５１２の引き抜きに関する好ましい特性を提供し得るテクスチャパターンを持つ粗い外面を有し得る。テーパ付きノーズ６５０が、ハウジング６０２内へのピン６１２の挿通に要する力を低減させる。第１環状フランジ６２６の、本実施例では溝６０８の第２側壁６０８ｄでもある内壁が、ハウジング６０２内へのピン６１２の挿通深さを制限するストッパとして機能する。
【００７４】
１実施例では、ハウジングセクション６０４及び６０６は導電性材料を含む。ハウジングセクション６０４及び６０６は、例えば、ハウジングセクション１４、１６及び／またはハウジング５４並びにインサート要素６８に関して上述した任意の材料を含み得る。他の実施例では第１ハウジングセクション６０４が金属材料を含み得、第２ハウジングセクション６０６がプラスチックまたは非導電性材料を含み得る。第２ハウジングセクション６０６のプラスチック例にはＰＥＥＫ（ポリエーテルエーテルケトン）等のエンジニアリングプラスチック材料が含まれる。バネ６１０は、例えば、バネ１８、７７に関して上述した任意の材料を含み得る。図示の如く、ケーブルまたはワイヤ６２０、バネ６１０、第１ハウジングセクション６０４及びピン６１２を介して電力または信号が送られ得る。
【００７５】
本発明によれば、バネソケット６００の組み立て方法が提供される。ワイヤ６２０が、連結ポート６１８を介して第１ハウジングセクション６０４に接続される。上述した如く、ワイヤ６２０は連結ポート６１８に、押し嵌め、溶接、ハンダ付けし得、締め具等の機械的保持手段を用いて固定的に連結し得、または斯界に既知のいろいろの方法及び装置を用いて固定的または着脱自在に連結し得る。ワイヤ６２０は、ここで説明する如きバネソケット６００の組み立て方法においてワイヤ６２０を第１ハウジングセクション６０４と連結するステップを要さない様、第１ハウジングセクション６０４に予め組み込み得る。次いで、第２ハウジングセクション６０６を第１ハウジングセクション６０４に装着して溝６０８の形状を完全化する。本方法には、傾斜傾斜コイルバネ６１０を、このバネ６１０が溝６０８内に配置されるように第１ハウジングセクション６０４に配置するステップが含まれる。バネソケット６００が電気的ソケットとして使用される場合はワイヤ６２０の電流は第１ハウジングセクション６０４を介してバネ６１０に送られる。ピン６１２の挿入時において、電流がバネ６１０からピン６１２に流れ、かくしてワイヤ６２０とピン６１２との間の電気的接続が完成する。更には、ピン６１２がバネ６１０を圧縮することで、ピンにおける溝の有無及び溝の形式に基づき、ピン６１２とバネソケット６００との間に錠止、ラッチ止め、または保持のための連結が提供され得る。
【００７６】
他の実施例では２つのハウジングセクション６０４及び６０６が、相互に異なる材料でメッキ処理される。従って、２部材型のハウジング６０２または２つのハウジングセクションにおける、傾斜傾斜コイルバネ６１０と接触する側の一方である少なくとも一方を、１つの基本材料及び１つ以上のコーティングまたはクラッド層等の幾つかの異なる材料から作製し得る。
上述したバネソケット６００は、ピン６１２と機械的及び／または電気的に接続するための、ラッチ止め、錠止、及び／または保持用途用のコネクタとして使用され得る。かくして、本発明の装置、システム及び方法の各様相には、２つ以上のハウジングセクション６０４及び６０６から溝６０８が形成され、この溝６０８内に、ラッチ止め、錠止、及び／または保持及び／または送電用の傾斜傾斜コイルバネ６１０を位置決めした多部材型の傾斜コイルバネソケットアセンブリ６００が含まれる。それらラッチ止め、錠止、及び／または保持用途用の少なくともハウジング材料の幾つかは導電性を有する必要が無いため、金属の加工によるよりはむしろ、エンジニアリングプラスチックから成型され得る。他の実施例では、第１ハウジングセクション６０４が金属から作製され得、第２ハウジングセクション６０６がプラスチックから作製され得、かくしてコストが削減されつつも尚、ピン６１２とソケットアセンブリ６００との間に電気的接触が提供される。
【００７７】
２部材型ハウジング６０２が、ハウジングセクション６０４及び６０６の各内面から距離Ｄ離間された中心線を画定する。傾斜コイルバネソケットアセンブリ６００はピン６１２を、このピンがバネ６１０を圧縮するまで、前記中心線方向（図２６Ａではピン上の矢印で表示）に挿入することによりその作用状態となる。バネ６１０はハウジング６０２とピン６１２との間に作用する偏倚力及び／または電気的接続を提供する。ハウジングの大きさは、種々の実施例において、好ましい距離Ｄが提供されるよう選択され得る。例えばある用途では、前記距離Ｄを減少させると溝６０８の側壁とピン６１２の外面との間の間隙が狭まり、かくしてピン６１２の不整合化の恐れが減少する。傾斜コイルバネソケットアセンブリ６００は、数インチのオーダーにおける小型コネクタ用途用に特に好適である。小型コネクタ用途では、傾斜傾斜コイルバネ６１０を部分溝内に摺動させて溝を完全化する能力が組み立てを迅速化及び容易化させ得る。上述した如く、溝は１つ以上の追加的なハウジングセクションを組み立てて溝を完成させるまたは第１ハウジングそれ自体の操作により溝を完成させることにより完成され得、後者の場合は図２２に示される。
【００７８】
図２７の実施例では第１環状フランジ６２２の端部セクション６３０位置における内径は第１環状フランジ６２２の残余部分の内径と全体に同じである。従って、第１環状フランジ６２２は図２６Ａ及び図２６Ｂの実施例における環状環状リップ６３２を持たない。第１環状フランジ６２２の端部セクション６３０位置における環状内面がその全体または一部にネジ溝６４４を含む。更には、環状リップと合致する外側環状溝６４２に代えて、第２ハウジングセクション６０６の環状外面がその全体または一部に、第２ハウジングセクション６０６を第１ハウジングセクション６０４内に螺入させ得るよう前記ネジ溝６４４にそのネジ溝特徴（即ち、ピッチ、ネジ形状等）の一致するネジ溝６４６を有する。従って、第２ハウジングセクション６０６は、ネジ溝６４４及び６４６の各端部が一致するまで第１ハウジングセクション６０４内に螺入され、かくして第２ハウジングセクション６０６を第１ハウジングセクション６０４に固定する。
【００７９】
図２８の実施例では第１ハウジングセクション６０４と第２ハウジングセクション６０６とが、前記詳しく説明した如くネジ溝６４４及び６４６により相互に装着される。しかしながら、本実施例では第２ハウジングセクション６０６の楔形状の第１部分６３４は図２７の実施例の第１部分６３４と比較してずっと大きい。従って、図２８の実施例の第２ハウジングセクション６０６の傾斜面６３６はずっと大きく、かくしてピンの軸に関して直交する壁セクション無しで提供される。
【００８０】
図２９には他の実施例に従う多部材型または多部品型の傾斜コイルバネソケットアセンブリ７００の部分断面図が示される。傾斜コイルバネソケットアセンブリ７００はハウジング７０２を含みハウジング７０２には、第１ハウジングセクション７０４と、この第１ハウジングセクション７０４と連結自在の第２ハウジングセクション７０６とが含まれる。第１及び第２の各ハウジングセクション７０４及び７０６は、バネ（図示せず）を受けるまたは収受する形態を有する溝７０８を形成する。前記バネは、ガータータイプの半径方向または軸方向に傾斜したコイルバネである。傾斜コイルバネソケットアセンブリ７００は、この傾斜コイルバネソケットアセンブリ７００の第１側部７１４においてピン（図示せず）を、ラッチ止め、錠止、保持または電気的接触形式でバネと係合させる状態下に受ける形態を有する。傾斜コイルバネソケットアセンブリ７００はその第２側部７１６において、電力、信号及び／または光伝導用の１つ以上のワイヤ、ワイヤ束、ケーブル、光ファイバ、またはピンを受ける形態を有する連結ポート（図示せず）を含み得る。第１ハウジングセクション７０４の、図２９には示されない部分は本明細書で説明する任意の実施例における第１ハウジングセクションまたはカラーと類似のものであり得る。
【００８１】
第１ハウジングセクション７０４には、第１環状壁７２２と、外側にテーパ付けした第２環状壁７２６と、第３環状壁７２８とが含まれる。第２環状壁７２６がテーパ付けされているため、第３環状壁７２８の内径は第１環状壁７２２の内径よりも大きい。第２ハウジングセクション７０６は、テーパ付き端部７３２及び環状フランジ７３４を有する第１環状壁７３０を含む。第１ハウジングセクション７０４に第２ハウジングセクション７０６を挿入すると環状フランジ７３４が第３環状壁７２８の軸方向外面と接触し、かくして第１ハウジングセクション７０４内へのそれ以上の第２ハウジングセクション７０６の挿入を防止する。第１及び第２の各ハウジングセクション７０４及び７０６は、前記各実施例に関して説明したそれらを含む、当業者には既知の任意の方法または装置により相互装着され得る。図２９の実施例では、第１及び第２の各ハウジングセクション７０４及び７０６は環状フランジ７３４と第３環状壁７２８との間の１つ以上の位置で溶接される。例えば、第１及び第２の各ハウジングセクション７０４及び７０６は溶接ビード７３６により、図２９に例示される如く相互溶接され得る。溝７０８は、第１ハウジングセクション７０４のテーパ付きの第２環状壁７２６と、第２ハウジングセクション７０６の第１環状壁７３０のテーパ付き端部７３２とにより形成される。従って、溝７０８はＶ字状である。しかしながら、溝は２つの側壁と、これら側壁間に位置付けた底壁とを有する等の、及びその変形、例えば１つ以上のテーパ付き壁等の任意のその他幾何学形態を有し得る。
【００８２】
図３０には他の実施例に従う多部材型または多部品型の傾斜コイルバネソケットアセンブリ８００の部分断面図が例示される。傾斜コイルバネソケットアセンブリ８００は、ハウジング８０２を含みハウジング８０２には、第１ハウジングセクション８０４と、この第１ハウジングセクション８０４と連結自在の第２ハウジングセクション８０６とが含まれる。第１及び第２の各ハウジングセクション８０４及び８０６は、バネ（図示せず）を受けるまたは収受する形態を有する溝８０８を形成する。前記バネは、ガータータイプの半径方向または軸方向に傾斜したコイルバネである。傾斜コイルバネソケットアセンブリ８００は、この傾斜コイルバネソケットアセンブリ８００の第１側部８１４においてピン（図示せず）を、ラッチ止め、錠止、保持または電気的接触形式でバネと係合させる状態下に受ける形態を有する。傾斜コイルバネソケットアセンブリ８００はその第２側部８１６において、電力、信号及び／または光伝導用の１つ以上のワイヤ、ワイヤ束、ケーブル、光ファイバ、またはピンを受ける形態を有する連結ポート（図示せず）を含み得る。第１ハウジングセクション８０４の、図３０には示されない部分は本明細書で説明する任意の実施例における第１ハウジングセクションまたはカラーと類似のものであり得る。
【００８３】
第１ハウジングセクション８０４には、第１環状壁８２２と、外側にテーパ付けした第２環状壁８２６と、第３環状壁８２８とが含まれる。第２環状壁８２６がテーパ付けされているため、第３環状壁８２８の内径は第１環状壁８２２の内径よりも大きい。第２ハウジングセクション８０６は、テーパ付き端部８３２を除き全体に矩形断面を有するスリーブ形状を有する。第１ハウジングセクション８０４に第２ハウジングセクション８０６を挿入するとテーパ付き端部８３２が第１ハウジングセクション８０４のテーパ付きの第２環状壁８２６と接触し、かくして第１ハウジングセクション８０４内へのそれ以上の第２ハウジングセクション８０６の挿入を防止する。溝８０８はテーパ付きの第２環状壁８２６と、第２ハウジングセクション８０６のテーパ付き端部８３２とにより形成される。従って、溝８０８はＶ字状である。しかしながら、溝は２つの側壁と、これら側壁間に位置付けた底壁とを有する等の、及びその変形、例えば１つ以上のテーパ付き壁等の任意のその他幾何学形態を有し得る。
【００８４】
第１ハウジングセクションの第３環状壁８２８は、その中心線に沿った長さが第２ハウジングセクション８０６よりも長く、かくして、第２ハウジングセクション８０６を第１ハウジングセクション８０４内に完全に挿入すると第２ハウジングセクション８０６を超えて伸延するクリンプ加工部分８３６を画定する。第２ハウジングセクション８０６を第１ハウジングセクション８０４内に保持するべく、前記クリンプ加工部分８３６を図３０に示す如く中心線方向にクリンプ加工し得る。
【００８５】
図３１には、本発明の他の実施例に従う多部材型または多部品型の傾斜コイルバネソケットアセンブリ９００の部分断面図が示される。傾斜コイルバネソケットアセンブリ９００はハウジングを有し、ハウジングには、第１ハウジングセクション９０４と、この第１ハウジングセクション９０４に連結自在の第２ハウジングセクション９０６とが含まれる。第１及び第２の各ハウジングセクション９０４及び９０６は、バネ（図示せず）を受けるまたは収受する形態を有する溝９０８を形成する。前記バネは、ガータータイプの半径方向または軸方向に傾斜したコイルバネである。傾斜コイルバネソケットアセンブリ９００は、この傾斜コイルバネソケットアセンブリ９００の第１側部９１４においてピン（図示せず）を、ラッチ止め、錠止、保持または電気的接触形式でバネと係合させる状態下に受ける形態を有する。傾斜コイルバネソケットアセンブリ９００はその第２側部９１６において、電力、信号及び／または光伝導用の１つ以上のワイヤ、ワイヤ束、ケーブル、光ファイバ、またはピンを受ける形態を有する連結ポート（図示せず）を含み得る。第１ハウジングセクション９０４の、図３１には示されない部分は本明細書で説明する任意の実施例における第１ハウジングセクションまたはカラーと類似のものであり得る。
【００８６】
第１ハウジングセクション９０４には、第１環状壁９２２と、外側にテーパ付けした第２環状壁９２６ａ及び肩部９２６ｂを有する第２環状壁９２６と、第３環状壁９２８とが含まれる。第２環状壁９２６ａの外側のテーパ及び肩部９２６ｂにより、第３環状壁９２８の内径は第１環状壁９２２の内径よりも大きい。第２ハウジングセクション９０６は、テーパ付き端部９３２ａ及び肩部９３２ｂを除き、図３１に示す如く全体に矩形断面を有するスリーブ形状を有する。第１ハウジングセクション９０４に第２ハウジングセクション９０６を挿入すると肩部９３２ｂが肩部９２６ｂと接触し、かくして第１ハウジングセクション９０４内へのそれ以上の第２ハウジングセクション９０６の挿入を防止する。溝９０８は、第１ハウジングセクション９０４のテーパ付けした肩部９２６ａと、第２ハウジングセクション９０６のテーパ付き端部、即ち肩部９３２ａとにより形成される。従って、溝９０８はＶ字状である。しかしながら、溝９０８は２つの側壁と、これら側壁間に位置付けた底壁とを有する等の、及びその変形、例えば１つ以上のテーパ付き壁等の任意のその他幾何学形態を有し得る。
【００８７】
第１ハウジングセクション９０４と第２ハウジングセクション９０６とは、当業者には既知の、ここで説明するものを含む任意の方法または層値により相互装着され得る。図３１に示す実施例では第１ハウジングセクション９０４及び第２ハウジングセクション９０６は例示的な溶接ビード９３６により図示の如く相互溶接される。
図３２には、本発明の他の実施例に従う多部材型または多部品型の傾斜コイルバネソケットアセンブリ１０００の部分断面図が示される。傾斜コイルバネソケットアセンブリ１０００はハウジング１００２を有し、ハウジングには、第１ハウジングセクション１００４と、この第１ハウジングセクション１００４に連結自在の第２ハウジングセクション１００６とが含まれる。第１及び第２の各ハウジングセクション１００４及び１００６は、バネ（図示せず）を受けるまたは収受する形態を有する溝１００８を形成する。前記バネは、ガータータイプの半径方向または軸方向に傾斜したコイルバネである。傾斜コイルバネソケットアセンブリ１０００は、その第１側部１０１４において、ピン（図示せず）を、ラッチ止め、錠止、保持または電気的接触形式でバネと係合させる状態下に受ける形態を有する。傾斜コイルバネソケットアセンブリ１０００はその第２側部１０１６において、電力、信号及び／または光伝導用の１つ以上のワイヤ、ワイヤ束、ケーブル、光ファイバ、またはピンを受ける形態を有する連結ポート（図示せず）を含み得る。第１ハウジングセクション１００４の、図３２には示されない部分は本明細書で説明する任意の実施例における第１ハウジングセクションまたはカラーと類似のものであり得る。
【００８８】
第１ハウジングセクション１００４には、第１環状壁１０２２と、外側にテーパ付けしたテーパ端部１０２６ａ及び肩部１０２６ｂを有する第２環状壁１０２６と、第３環状壁１０２８とが含まれる。第２環状壁１０２６の外側のテーパ及び肩部１０２６ｂにより、第３環状壁１０２８の内径は第１環状壁１０２２の内径よりも大きい。第２ハウジングセクション１００６は図３２に示す如く、テーパ付き端部１０３２を除き全体に矩形断面を有するスリーブ形状を有する。第１ハウジングセクション１００４に第２ハウジングセクション１００６を挿入するとテーパ付き端部１０３２が第１ハウジングセクション１００４の肩部１０２６ｂと接触し、かくして第１ハウジングセクション１００４内へのそれ以上の第２ハウジングセクション１００６の挿入を防止する。
【００８９】
第３環状壁１０２８は、第２ハウジングセクション１００６の外面と接触する、内側円錐状クリンプ加工部分１０２８ａを有する。その結果、第３環状壁１０２８の残余の部分は第２ハウジングセクション１００６の外面から離間される。第１及び第２の各ハウジングセクション１００４及び１００６は、当業者には既知の任意の方法または層値により相互装着され得る。図３２の実施例では第１及び第２の各ハウジングセクション１００４及び１００６は第２ハウジングセクション１００６と第３環状壁１０２８との間の１つ以上の接触部分で図３２に示す如き溶接ビード１０３６で溶接される。
【００９０】
溝１００８は第２環状壁１０２６と、第２ハウジングセクション１００６のテーパ端部１０３２ａとにより形成される。第２ハウジングセクション１００６が第１ハウジングセクション１００４の内側に緩く嵌合しているため、溝１００８は第２ハウジングセクション１００６の位置次第でその形状が変化する。従って、溝１００８はテーパ端部１０２６ａとテーパ端部１０３２ａとにより部分的に形成される。あるいは、溝１００８は第１ハウジングセクション１００４のテーパ端部１０２６ａ及び肩部１０２６ｂと、第２ハウジングセクション１００６のテーパ端部１０３２ａとにより形成され得る。
【００９１】
図３３〜図３５には他の実施例に従う多部材型または多部品型の傾斜コイルバネソケットアセンブリ１１００の部分断面図が示される。傾斜コイルバネソケットアセンブリ１１００はハウジング１１０２を有し、ハウジングには、第１ハウジングセクション１１０４と、この第１ハウジングセクション１１０４に連結自在の第２ハウジングセクション１１０６とが含まれる。第１及び第２の各ハウジングセクション１１０４及び１１０６は、バネ（図示せず）を受けるまたは収受する形態を有する溝１１０８を形成する。前記バネは、ガータータイプの半径方向または軸方向に傾斜したコイルバネである。傾斜コイルバネソケットアセンブリ１１００は、その第１側部１１１４においてピン（図示せず）を、ラッチ止め、錠止、保持または電気的接触形式でバネと係合させる状態下に受ける形態を有する。傾斜コイルバネソケットアセンブリ１１００はその第２側部１１１６において、電力、信号及び／または光伝導用の１つ以上のワイヤ、ワイヤ束、ケーブル、光ファイバ、またはピンを受ける形態を有する連結ポート（図示せず）を含み得る。第１ハウジングセクション１１０４の、図３３〜図３５には示されない部分は本明細書で説明する任意の実施例における第１ハウジングセクションまたはカラーと類似のものであり得る。
【００９２】
第１ハウジングセクション１１０４は第１環状壁１１２２と、図３３及び図３４に示す如くテーパ端部１１２６ａのみを有する、または図３５に示す如くテーパ端部１１２６ａ及び肩部１１２６ｂを共に有する第２環状壁１１２６とを含む。第１ハウジングセクション１１０４は第３環状壁１１２８をも含む。図３３及び図３４のテーパ端部１１２６ａまたは図３５に示すテーパ端部１１２６ａ及び肩部１１２６ｂにより、第３環状壁１１２８の内径は第１環状壁１１２２のそれよりも大きい。第２ハウジングセクション１１０６は、図３３及び図３４に示す如くテーパ端部１１３２ａのみを有し、または図３５に示す如くテーパ端部１１３２ａ及び肩部１１３２ｂを共に有する。図３３及び図３４の実施例では、第２ハウジングセクション１１０６を第１ハウジングセクション１１０４に挿入すると、テーパ端部１１３２ａが第１ハウジングセクション１１０４のテーパ端部１１２６ａと接触して第２ハウジングセクション１１０６の第１ハウジングセクション１１０４内へのそれ以上の挿入を防止する。図３５の実施例では、第２ハウジングセクション１１０６を第１ハウジングセクション１１０４内に挿入すると肩部、即ちテーパ端部１１３２ａが第１ハウジングセクション１１０４の肩部１１２６ｂと接触して第２ハウジングセクション１１０６の第１ハウジングセクション１１０４内へのそれ以上の挿入を防止する。
【００９３】
第１ハウジングセクション１１０４の第３環状壁１１２８はクリンプ部分１１３６を有する。第２ハウジングセクション１００６を第１ハウジングセクション１１０４に固定するために、クリンプ部分１１３６を図３３〜図３５に示す如く中心線方向にクリンプ加工し得る。更に、第２ハウジングセクション１１０６の外面の、図で参照番号１１４０で示す少なくとも一部分と、第１ハウジングセクション１１０４の第３環状壁１１２８の、参照番号１１４２で示す少なくとも一部分とにぎざぎざを設け、第１ハウジングセクション１１０４内での第２ハウジングセクション１１０６の遊びを実質的に防止する。ぎざぎざを設けた外面は、第１ハウジングセクション１１０４に連結した第２ハウジングセクション１１０６の摩擦的維持を、実質的に遊びを生じさせることなく支援する。
【００９４】
図３３を再度参照するに、第１ハウジングセクション１１０４の第３環状壁１１２８は第２ハウジングセクション１１０６よりもずっと長い。従って、クリンプ部分１１３６は第２ハウジングセクション１１０６の側壁１１５０と接触して第１ハウジングセクション１１０４内での第２ハウジングセクション１１０６の動きを拘束する。図３４では第１ハウジングセクション１１０４の第３環状壁１１２８は第２ハウジングセクション１１０６と同じ長さである。更に、第２ハウジングセクションは前記クリンプ部分１１３６を受ける環状肩部１１５２を画定する環状切り欠きを含む。図３５では、クリンプ部分１１３６は切頭円錐形状、即ちテーパまたは傾斜されている。第２ハウジングセクション１１０６は、クリンプ部分１１３６の傾斜に相当する傾斜環状切り欠きまたは傾斜肩部１１５４をも含む。
【００９５】
図３６には、本発明の他の実施例に従う多部材型または多部品型の傾斜コイルバネソケットアセンブリ１２００の部分断面図が例示される。傾斜コイルバネソケットアセンブリ１２００は、第１ハウジングセクション１２０４と、この第１ハウジングセクション１０２４に連結自在の第２ハウジングセクション１２０６とを含むハウジング１２０２を有する。第１及び第２の各ハウジングセクション１２０４、１２０６はバネ（図示せず）を受ける溝１２０８を形成する。バネは、ガータータイプの半径方向または軸方向に傾斜したコイルバネである。傾斜コイルバネソケットアセンブリ１２００は、その第１側部１２１４においてピン（図示せず）を、ラッチ止め、錠止、保持または電気的接触形式でバネと係合させる状態下に受ける形態を有する。傾斜コイルバネソケットアセンブリ１２００はその第２側部１２１６において、電力、信号及び／または光伝導用の１つ以上のワイヤ、ワイヤ束、ケーブル、光ファイバ、またはピンを受ける形態を有する連結ポート（図示せず）を含み得る。第１ハウジングセクション１２０４の、図３６には示されない部分は本明細書で説明する任意の実施例における第１ハウジングセクションまたはカラーと類似のものであり得る。
【００９６】
第１ハウジングセクション１２０４は第１環状壁１２２２と、外側テーパ端部１２２６ａ及び肩部１２２６ｂを有する第２環状壁１２２６と、第３環状壁１２２８を含む。外側テーパ端部１２２６ａ及び肩部１２２６ｂにより、第３環状壁１２２８の内径は第１環状壁１２２２のそれよりも大きい。第２ハウジングセクション１２０６は、傾斜端部１２３２ａを有する第１環状壁１２３０と、肩部１２３２ｇと、環状フランジ１２３４とを有する。第２ハウジングセクション１２０６を第１ハウジングセクション１２０４に挿入すると、環状フランジ１２３４が第３環状壁１２２８の端面１２５０と接触して第２ハウジングセクション１２０６の第１ハウジングセクション１２０４内へのそれ以上の挿入を防止する。あるいは、第２ハウジングセクション１２０６を第１ハウジングセクション１２０４に挿入すると、肩部１２３２ｂが肩部１２２６ｂと接触し、かくして第２ハウジングセクション１２０６の第１ハウジングセクション１２０４内へのそれ以上の挿入を防止する。第１ハウジングセクション１２０４の外側テーパ端部１２２６ａと、第２ハウジングセクション１２０６のテーパ端１２３２ａとが溝１２０８を形成する。かくして、溝１２０８はＶ字形状となる。
【００９７】
第１ハウジングセクション１２０４及び第２ハウジングセクション１２０６は、その他実施例に関して上述したものを含む、当業者に既知の任意の方法または装置を使用して相互装着され得る。図３６の実施例では、第１ハウジングセクション１２０４及び第２ハウジングセクション１２０６は、環状フランジ１２３４と、第３環状壁１２２８の端面１２５０との間の１つ以上の位置で突出溶接部１２４８に溶接される。
ここで説明した全ての実施例に関し、溝の形状は傾斜バネソケット内へのピンの挿入力及び、そこからの抜き出し力に影響を与え得る。図３７Ａ及び図３７Ｂには、ピン６１２を傾斜バネソケットアセンブリ６００内への挿入時の２ステップシーケンスが例示される。ピン６１２は、第１側部６１４側で、テーパ付きノーズ６５０からハウジング６０２に挿入され、次いでこのピン６１２のテーパ付きノーズ６５０に続くセクションがバネ６１０と接触する。テーパ付きノーズ６５０は、このテーパ付きノーズ６５０がない場合と比較してバネ６１０の圧縮及び／または回転を容易化させる。図３７Ｂに示すように、ピン６１２はバネをピン６１２の入口方向に押すに従いバネを圧縮する。第３環状壁６２６の内面がピン６１２と同じ方向におけるバネ６１０の移動を防止するため、バネ６１０は移動せずに、第２ハウジングセクション６０６の第１部分６３４による支援の下に図３７Ｂに示す如く反時計方向に回転する。かくして第１部分６３４は、ピン６１２の、図３７Ｂに示す如き入口方向または反時計方向へのバネ６１０の回転を支援することで、ピン６１２の進入中における当該ピン６１２によるバネ６１０の圧縮に要する力を低減させる。
【００９８】
ピン６１２を傾斜バネソケットアセンブリ６００から引き抜くに際し、ピン６１２はバネ６１０の負荷方向でしかもバネ力に抗して引き抜かれ、かくしてバネを更に圧縮する傾向があるため、バネ６１０は時計方向回転に対して抵抗を生じる。その結果、ピン６１２を傾斜バネソケットアセンブリ６００から引き抜くに要する力はピンを挿入する力よりも大きい。かくして、ピン挿入方向における溝の外側テーパが、ピンを傾斜バネソケットから引き抜くに要する力と比較して、ピンを傾斜バネソケットに挿入する力を全体に低減させる。他方、ピン挿入方向における溝の内側テーパは、傾斜バネソケットからのピン引き抜きに要する力と比較してピンの、バネソケット内への挿入力を全体に増大させる。言い換えると、溝はピン挿入時にバネを時計方向に回転させるように改変され得る。Ｖ字状溝は外側テーパに続く内側テーパを有することで、Ｖ字状溝の形状及び対称性に依存してピンの挿入力及び引き抜き力を実質的に同等化させる。当業者には理解されるように、溝の任意のテーパ端部における傾斜、深さ及び表面構造は傾斜バネソケット内へのピン挿入に要する力及び、傾斜バネソケットからのピン引き抜きに要する力に直接影響し得る。例えば、矩形溝に関するピンの挿入及び引き抜きは、同じ深さのＶ字状溝に関する同じ動作よりもずっと困難である。
以上、本発明を実施例を参照して説明したが、本発明の内で種々の変更をなし得ることを理解されたい。
【符号の説明】
【００９９】
１０  傾斜コイルバネソケットアセンブリ
１２  ハウジング
１４  第１ハウジングセクション
１６  第２ハウジングセクション
１８  傾斜コイルバネ
２０  外部溝
２２  傾斜側壁
２４  作用端部壁
２６  肩部
２８  第３環状壁
３０  底壁
３１  溝
３２  主軸
３３  底壁
３４  円筒状端部
３４  端部壁
３６  端部壁
３８  ハウジング溝
４０  短軸
５２  コネクタ
５４  ハウジング
５６  第１端部
５８  第２端部
５８  溝
６０  ワイヤ端子
６２  穿孔
６３  インサートポケット
６４  環状スカート
６８  インサート要素
７０  内径
７２  内壁面
７４  ソケット
７６  バネ溝
７７  傾斜コイルバネ
７８  通気ポート
８０  第１端部
８２  肩部
８４  オーーハング部分
８６  第２端部
８８  フランジ
９０  肩部
９２  環状溝
９４  インサート要素
９６  作用端部壁
９８  傾斜面
１００  傾斜コイルバネソケットアセンブリ
１０２  カラー
１０４  第１カラーセクション
１０６  第２カラーセクション
１０８  カラー溝
１１０  バネ
１１０  傾斜コイルバネ
１１２  雄型ピン
１１４  外側壁
１１４  第２カラーセクション
１１６  第１フランジ
１１８  外側壁
１２０  第２フランジ
１２２  ラチェット歯
１２４  ノーズ
１２６  前縁部
１２８  ディスク状部分
１３０  環状肩部
１４０  カラー
１４２  第１カラーセクション
１４４  第２カラーセクション
１４６  環状外壁
１４８  フランジ
１５０  スカートセクション
１５２  環状肩部
１５４  溝
１６０  カラー
１６２  第１カラーセクション
１６４  第２カラーセクション
１６６  環状外壁
１６８  フランジ
１７０  壁セクション
１７２  タブ
１７４  テーパ面
１７８  主胴部
１８０  角部セクション
１８２  勾配部分
１８４  勾配面
１８６  バネ
１８８  溝
１９０  凹所
２００  カラー
２０２  第１カラーセクション
２０４  保持タブ
２０６  スカートセクション
２０８  第２カラーセクション
２０９  ピン
２２２  第１カラーセクション
２２４  第２カラーセクション
２２６  環状外壁
２２８  フランジ
２３０  溝
２３４  開口部
２３６  シート状部分
２４０  ピン
２４２  バネ
２５０  カラー
２５２  ピン
２５４  ピン溝
２５６  バネ
２５８  平坦底部
２６２  第１カラーセクション
２６４  第２カラーセクション
２６６  環状外壁
２６８  フランジ
２７０  壁セクション
２７２  矩形断面セクション
２７４  三角形セクション
２７６  勾配面
２７８  バネ
２８０  溝
２８２  ラチェット歯
２９０  カラー
２９４  ピン溝
２９６  バネ
３００  カラー
３０２  第１カラーセクション
３０４  第２カラーセクション
３０６  環状外壁
３０８  フランジ
３１０  ライニング
３１２  部分
３１４  溝
３１６  部分
３１８  ピン
３１８  雄型ピン
３２０  バネ
３２２  ディスク状コネクタ
３２４  開口部
３３０  カラー
３３２  第１カラーセクション
３３４  第２カラーセクション
３３６  環状リングセクション
３３８  第１フランジ
３４０  環状リングセクション
３４２  第２フランジ
３４４  勾配内面
３４６  バネ
３４８  溝
３５０  ピン
３５２  ピン溝
３６０  カラー
３６２  フランジ
３６４  第１カラーセクション
３６６  環状リングセクション
３６８  フランジ
３７０  第２カラーセクション
３７２  環状リングセクション
５００  傾斜コイルバネソケットアセンブリ
５０２  ハウジング
５０４  第１ハウジングセクション
５０６  第２ハウジングセクション
５０８  バネ溝
５０８ａ  第１側壁
５０８ｂ  第１底壁
５０８ｃ  第２底壁
５０８ｄ  第２側壁
５０８  溝
５１０  傾斜コイルバネ
５１２  ピン
５１４  第１側部
５１６  第２側部
５１８  連結ポート
５２０  ワイヤ
５２０  ２部材型ハウジング
５２２  第１環状壁
５２４  第２環状壁
５２６  第１環状フランジ
５２８  第３環状壁
５３０  端部セクション
５３１  接触領域
５３２  環状肩部
５３３  溶接ビード
５３４  ノーズ
５３６  前縁端
５４０  溝
５４２  溝
５５０  延長環状壁セクション
５６０  溝
５７０  リップ
５７２  第２ハウジングセクション
５７４  第１環状突起
５７６  第２環状突起
５７８  環状溝
５８０  傾斜面
６００  傾斜コイルバネソケットアセンブリ
６０２  ２部材型ハウジング
６０４  第１ハウジングセクション
６０４  ハウジングセクション
６０５  第１ハウジングセクション
６０６  第２ハウジングセクション
６０８  溝
６０８ａ  第１側壁
６０８ｂ  第１底壁
６０８ｃ  第２底壁
６０８ｄ  第２側壁
６１０  傾斜コイルバネ
６１２  ピン
６１４  第１側部
６１６  第２側部
６１８  連結ポート
６２０  ワイヤ
６２２  第１環状壁
６２２  第１環状フランジ
６２６  第２環状フランジ
６２８  第３環状壁
６３０  端部セクション
６３２  環状リップ
６３４  第１部分
６３６  傾斜面
６３８  第２部分
６４０  傾斜面
６４２  外側環状溝
６４４  溝
６４６  溝
６５０  ノーズ
６５２  前縁端
７００  傾斜コイルバネソケットアセンブリ
７０２  ハウジング
７０４  第１ハウジングセクション
７０６  第２ハウジングセクション
７０８  溝
７１４  第１側部
７１６  第２側部
７２２  第１環状壁
７２６  第２環状壁
７２８  第３環状壁
７３０  第１環状壁
７３２  端部
７３４  環状フランジ
７３６  溶接ビード
８００  傾斜コイルバネソケットアセンブリ
８０２  ハウジング
８０４  第１ハウジングセクション
８０６  第２ハウジングセクション
８０８  溝
８１４  第１側部
８１６  第２側部
８２２  第１環状壁
８２６  第２環状壁
８２８  第３環状壁
８３２  端部
８３６  クリンプ加工部分
９００  傾斜コイルバネソケットアセンブリ
９０４  第１ハウジングセクション
９０６  第２ハウジングセクション
９０８  溝
９１４  第１側部
９１６  第２側部
９２２  第１環状壁
９２６  第２環状壁
９２６ａ  第２環状壁
９２６ｂ  肩部
９２８  第３環状壁
９３２ａ  端部
９３２ｂ  肩部
９３６  溶接ビード
１０００  傾斜コイルバネソケットアセンブリ
１００２  ハウジング
１００４  第１ハウジングセクション
１００６  第２ハウジングセクション
１００８  溝
１０１４  第１側部
１０１６  第２側部
１０２６  第２環状壁
１０２６ａ  テーパ端部
１０２６ｂ  肩部
１０２８  第３環状壁
１０２８ａ  内側円錐状クリンプ加工部分
１０３２  テーパ付き端部
１０３２ａ  テーパ端部
１０３６  溶接ビード
１１００  傾斜コイルバネソケットアセンブリ
１１０２  ハウジング
１１０４  第１ハウジングセクション
１１０６  第２ハウジングセクション
１１０８  溝
１１１４  第１側部
１１１６  第２側部
１１２６ａ  テーパ端部
１１２６ｂ  肩部
１１２８  第３環状壁
１１３６  クリンプ部分
１１５４  傾斜肩部
１２００  傾斜コイルバネソケットアセンブリ
１２０４  第１ハウジングセクション
１２０６  第２ハウジングセクション
１２０８  溝
１２１４  第１側部
１２１６  第２側部
１２２６  第２環状壁
１２２６ａ  外側テーパ端部
１２２６ｂ  肩部
１２２８  第３環状壁
１１３２ａ  テーパ端部
１２３２ｂ  肩部
１２３４  環状フランジ
１２５０  端面
【図１】
2011243572.tif 000003
【図２】
2011243572.tif 000004
【図３】
2011243572.tif 000005
【図４】
2011243572.tif 000006
【図５】
2011243572.tif 000007
【図６】
2011243572.tif 000008
【図７】
2011243572.tif 000009
【図８】
2011243572.tif 000010
【図９】
2011243572.tif 000011
【図１０】
2011243572.tif 000012
【図１１】
2011243572.tif 000013
【図１２】
2011243572.tif 000014
【図１３】
2011243572.tif 000015
【図１４】
2011243572.tif 000016
【図１５】
2011243572.tif 000017
【図１６】
2011243572.tif 000018
【図１７】
2011243572.tif 000019
【図１８】
2011243572.tif 000020
【図１９】
2011243572.tif 000021
【図２０】
2011243572.tif 000022
【図２１】
2011243572.tif 000023
【図２２】
2011243572.tif 000024
【図２３】
2011243572.tif 000025
【図２４】
2011243572.tif 000026
【図２５Ａ】
2011243572.tif 000027
【図２５Ｂ】
2011243572.tif 000028
【図２６Ａ】
2011243572.tif 000029
【図２６Ｂ】
2011243572.tif 000030
【図２７】
2011243572.tif 000031
【図２８】
2011243572.tif 000032
【図２９】
2011243572.tif 000033
【図３０】
2011243572.tif 000034
【図３１】
2011243572.tif 000035
【図３２】
2011243572.tif 000036
【図３３】
2011243572.tif 000037
【図３４】
2011243572.tif 000038
【図３５】
2011243572.tif 000039
【図３６】
2011243572.tif 000040
【図３７Ａ】
2011243572.tif 000041
【図３７Ｂ】
2011243572.tif 000042
【手続補正書】
【提出日】平成23年7月26日(2011.7.26)
【手続補正１】
【補正対象書類名】図面
【補正対象項目名】全図
【補正方法】変更
【補正の内容】
【図１】
2011243572.tif 000043
【図２】
2011243572.tif 000044
【図３】
2011243572.tif 000045
【図４】
2011243572.tif 000046
【図５】
2011243572.tif 000047
【図６】
2011243572.tif 000048
【図７】
2011243572.tif 000049
【図８】
2011243572.tif 000050
【図９】
2011243572.tif 000051
【図１０】
2011243572.tif 000052
【図１１】
2011243572.tif 000053
【図１２】
2011243572.tif 000054
【図１３】
2011243572.tif 000055
【図１４】
2011243572.tif 000056
【図１５】
2011243572.tif 000057
【図１６】
2011243572.tif 000058
【図１７】
2011243572.tif 000059
【図１８】
2011243572.tif 000060
【図１９】
2011243572.tif 000061
【図２０】
2011243572.tif 000062
【図２１】
2011243572.tif 000063
【図２２】
2011243572.tif 000064
【図２３】
2011243572.tif 000065
【図２４】
2011243572.tif 000066
【図２５Ａ】
2011243572.tif 000067
【図２５Ｂ】
2011243572.tif 000068
【図２６Ａ】
2011243572.tif 000069
【図２６Ｂ】
2011243572.tif 000070
【図２７】
2011243572.tif 000071
【図２８】
2011243572.tif 000072
【図２９】
2011243572.tif 000073
【図３０】
2011243572.tif 000074
【図３１】
2011243572.tif 000075
【図３２】
2011243572.tif 000076
【図３３】
2011243572.tif 000077
【図３４】
2011243572.tif 000078
【図３５】
2011243572.tif 000079
【図３６】
2011243572.tif 000080
【図３７Ａ】
2011243572.tif 000081
【図３７Ｂ】
2011243572.tif 000082
【外国語明細書】
2011243572000001.pdf